(57)【特許請求の範囲】
【請求項１】
複数個の石材を積重してなる石積構造物の全体を１本の連結棒で連結一体化してなる耐震性石積構造物であって、最上段の石材の下面部中央に該連結棒の上端がネジ固定されると共に、その他の石材の中央には、上下方向に貫通する連結排水孔が設けられており、上下連通した連結排水孔に挿通せしめられた前記連結棒の下端が、最下段の石材の連結排水孔の下端で下方に突出せしめられ、該突出部分に設けられている雄ネジ部にナットが螺合され締め付けられることにより、前記複数個の石材が連結一体化されており、
前記複数個の石材の内、上下隣り合う下段の石材の上面には、前記連結排水孔の孔上端の対向側で、該孔上端に連通する集排水溝が設けられており、又、上段の石材の下面には、前記下段の石材の上面に設けられている前記集排水溝の夫々に対応させて凍結逃がし溝が、上下向き合う状態で設けられており、又、前記集排水溝の外端は、前記上段の石材の下面から外方に突出しないようになされると共に、前記凍結逃がし溝の外端は、前記上段の石材の下面の外縁の内側に退いており、
又、前記連結排水孔に前記連結棒が挿通された状態で該連結棒の周囲部分に、下方向に水を排水する縦排水路が形成されており、該縦排水路を流下した水は、前記ナットの締め付け部分又はその近傍に設けられた排水部を通して排出されることを特徴とする耐震性石積構造物。
【請求項２】
複数個の石材を積重してなる石積構造物の全体を１本の連結棒で連結一体化してなる耐震性石積構造物であって、最上段の石材の下面部中央に該連結棒の上端がネジ固定されると共に、その他の石材の中央には、上下方向に貫通する連結排水孔が設けられており、上下連通した連結排水孔に挿通せしめられた前記連結棒の下端が、最下段の石材の連結排水孔の下端で下方に突出せしめられ、該突出部分に設けられている雄ネジ部にナットが螺合され締め付けられることにより、前記複数個の石材が連結一体化されており、
前記複数個の石材の内、上下隣り合う下段の石材の上面には、前記連結排水孔の孔上端に連通する状態で放射状に、４本以上の集排水溝が設けられており、又、上段の石材の下面には、前記下段の石材の上面に設けられている前記集排水溝の夫々に対応させて凍結逃がし溝が、上下向き合う状態で設けられており、又、前記集排水溝の外端は、前記上段の石材の下面から外方に突出しないようになされると共に、前記凍結逃がし溝の外端は、前記上段の石材の下面の外縁の内側に退いており、
又前記連結排水孔に前記連結棒が挿通された状態で該連結棒の周囲部分に、下方向に水を排水する縦排水路が形成されており、
又、前記最下段の石材に設けられている前記連結排水孔の孔下端に連通する状態で、該最下段の石材の下面に排出溝が設けられ、前記縦排水路を流下した水は、前記ナットが締め付けられた状態で、該排出溝の先側部分としての排水部を通して排出されることを特徴とする耐震性石積構造物。
【請求項３】
前記石積構造物が、墓石を構築するために用いられており、前記最下段の石材は、納骨用空間部を有する石材構造物上に積重されており、該石材には、該納骨用空間部に連通する通気空間が設けられ、該通気空間の上側の頂部分を上下方向に貫通するように前記連結排水孔が設けられており、
又、該通気空間に連通する通気空間を有する水鉢が設けられるものとなされ、該水鉢の上部には、該水鉢の通気空間に連通する通気空間を有した通気筒部を具備する線香立て兼用通気具が設けられており、該通気筒部には、該通気空間に連通する、防虫金網を以てなる通気開口が周方向に多数設けられており、又、該通気筒部の下端に、前記水鉢の通気空間への固定部が設けられると共に、該通気筒部の上端には、線香立てが設けられていることを特徴とする請求項１又は２記載の耐震性石積構造物。
【請求項４】
前記最下段の石材に設けられている前記通気空間は、該石材の前面で開口されることによって形成された前面開口部で前方に開放されると共に、該石材の下面で開口されることによって形成された下面開口部で下方に開放されており、該前面開口部と該下面開口部との境界部分に、該境界部分の左右端を連結するように、棒状遮水壁が左右方向に延長する如く設けられており、該棒状遮水壁の前面は、前記石材の前面と面一であり、その下面は、前記石材の下面と面一であることを特徴とする請求項３記載の耐震性石積構造物。
【発明の詳細な説明】
【技術分野】
【０００１】
本発明は、耐震性石積構造物に関するものである。より詳しくは、全体が１本の連結棒で簡易に連結一体化されることによって耐震性が向上されており、しかも、その耐震性が長期間に亘って安定的に持続される耐震性石積構造物に関するものである。
【背景技術】
【０００２】
本出願人は、特開２００５−７６１９１号公報において、地震力の作用によっても倒壊の恐れのない耐震性石積構造物を提供した。
【０００３】
該耐震性石積構造物ａの一例を、これが墓石に応用された場合について説明すれば、図６６に示すように、最上段の竿石ｂ１としての石材ｂと、最下段の芝台ｂ２としての石材ｂを含む複数個の石材ｂを積重して全体を１本の連結棒ｃで簡易に連結一体化してなるものであり、該竿石ｂ１の下面部中央に雌ネジ部ｄを埋設し、他の石材の中央には、上下方向に貫通する連結孔ｅを設け、上下方向に連通した連通連結孔ｆに挿通された前記連結棒ｃの上端の雄ネジ部ｇを、前記雌ネジ部ｄに螺合させ、前記芝台ｂ２の連結孔ｅの下端の下方に形成された納骨用空間部ｈにおいて下方に突出した連結棒下端の雄ネジ部ｊにナットｋを螺合し締め付けることにより、石材ｂの複数個を該１本の連結棒ｃで連結一体化する構成を有していた。
【０００４】
かかる構成の耐震性石積構造物ａによるときは、複数個の石材ｂの全体が１本の連結棒ｃで連結一体化されてなるため、墓石等の石積構造物が地震時の振動によって転倒するのを防止できる、耐震性に優れる石積構造物を簡易に構成できる利点があった。
【０００５】
しかしながら、上下の石材間の間隙ｍに石材間の縁部分ｎから雨水が侵入したり、石材が吸収した水が該石材間の間隙に侵入する等して該間隙に水が介在した場合に、これがそのままに放置されると、介在水の量が徐々に増えて連結棒ｃが水に常時接触した状態となり易く、連結棒ｃの腐食を招く等して耐震性石積構造物ａの耐震性を劣化させる恐れがあった。又、介在水の量が増えると、汚れた水が上下の石材間の縁部分ｎで外部に流出して墓石等の石積構造物の外観を損なう問題があった。加えて、上下の石材間の縁部分ｎから石材間の間隙ｍに雨水が侵入するのを抑制するために該縁部分には通常、コーキング材が充填されてコーキング止水部が形成されるのであるが、該間隙ｍに介在した水が該コーキング止水部に常時接触した状態になると、該止水部が劣化したり該止水部にひび割れが生ずる等して止水効果が有効に発揮されなくなるという問題もあった。
【０００６】
特に寒冷地域にあっては、該間隙ｍに介在した水が凍結して体積が膨張することにより、上段の石材が浮き上がる現象が生じ、前記竿石ｂ１の下面部に埋設されている雌ネジ部ｄに対する前記上端の雄ネジ部ｇの螺合状態が緩んだり、前記ナットｋの締め付け状態が緩む恐れがあった。又、該間隙ｍに介在する水の量が多い場合はその凍結による石材の押し上げ力が大となり、埋設状態にある前記雌ネジ部ｄが抜け方向に移動する恐れもあった。このように連結棒の雄ネジ部ｇの螺合状態が緩んだり、前記ナットｋの締め付け状態が緩んだり、埋設状態にある前記雌ネジ部ｄが多少なりとも抜け方向に移動したりした場合は、連結棒ｃによる前記複数個の石材ｂの連結一体化が不安定化して耐震性石積構造物ａの耐震性が劣化する問題があった。
【０００７】
又前記納骨用空間部ｈには、外部から侵入した水分や、地面等で蒸発した水分が籠り易く、しかも結露が発生し易いために、前記連結棒下端の雄ネジ部ｊや前記ナットｋが腐食し易く、このことも耐震性石積構造物ａの耐震性を劣化させる原因となっていた。
【０００８】
【特許文献１】特開２００５−７６１９１号公報
【発明の開示】
【発明が解決しようとする課題】
【０００９】
本発明は、前記従来の問題点に鑑みて開発されたものであり、積重された石材の全体を１本の連結棒でネジ止め方式により簡易に連結一体化してなる耐震性石積構造物において、上下の石材間の間隙に介在した水の排出を効率的に行うことができて石積構造物の耐震性を長期間に亘って安定的に持続させ得る耐震性石積構造物の提供を課題とするものである。
【００１０】
又、該間隙における介在水の量が多くなったときにはこれを該間隙で一時的に貯留して、上下の石材間の縁部分で流出することによって構造物の外観を損なうのを抑制できると共に、コーキング止水部の劣化を抑制できる耐震性石積構造物の提供を課題とするものである。
【００１１】
加えて、該間隙に介在した水が凍結したときにもその体積膨張を吸収可能とすることにより、上段の石材の浮き上がりを効果的に防止できて該石積構造物の耐震性を長期間に亘って安定的に持続させ得る耐震性石積構造物の提供を課題とするものである。
【００１２】
更に、石積構造物が墓石である場合は、その納骨用空間部における通気性を良好にすることを基本として該納骨用空間部に突出状態となる前記連結軸の下端の雄ネジ部やナットの腐食を抑制でき、墓石の耐震性の劣化を抑制し得る耐震性石積構造物の提供を課題とするものである。
【課題を解決するための手段】
【００１３】
前記課題を解決するため本発明は以下の手段を採用する。
即ち本発明に係る耐震性石積構造物は、複数個の石材を積重してなる石積構造物の全体を１本の連結棒で連結一体化してなる耐震性石積構造物であって、最上段の石材の下面部中央に該連結棒の上端がネジ固定されると共に、その他の石材の中央には、上下方向に貫通する連結排水孔が設けられており、上下連通した連結排水孔に挿通せしめられた前記連結棒の下端が、最下段の石材の連結排水孔の下端で下方に突出せしめられ、該突出部分に設けられている雄ネジ部にナットが螺合され締め付けられることにより、前記複数個の石材が連結一体化されている。そして、前記複数個の石材の内、上下隣り合う下段の石材の上面には、前記連結排水孔の孔上端の対向側で、該孔上端に連通する集排水溝が設けられており、又、上段の石材の下面には、前記下段の石材の上面に設けられている前記集排水溝の夫々に対応させて凍結逃がし溝が、上下向き合う状態で設けられており、又、前記集排水溝の外端は、前記上段の石材の下面から外方に突出しないようになされると共に、前記凍結逃がし溝の外端は、前記上段の石材の下面の外縁の内側に退いている。又、前記連結排水孔に前記連結棒が挿通された状態で該連結棒の周囲部分に、下方向に水を排水する縦排水路が形成されており、該縦排水路を流下した水は、前記ナットの締め付け部分又はその近傍に設けられた排水部を通して排出されることを特徴とするものである。
【００１４】
本発明に係る耐震性石積構造物のより具体的な態様は、複数個の石材を積重してなる石積構造物の全体を１本の連結棒で連結一体化してなる耐震性石積構造物であって、最上段の石材の下面部中央に該連結棒の上端がネジ固定されると共に、その他の石材の中央には、上下方向に貫通する連結排水孔が設けられており、上下連通した連結排水孔に挿通せしめられた前記連結棒の下端が、最下段の石材の連結排水孔の下端で下方に突出せしめられ、該突出部分に設けられている雄ネジ部にナットが螺合され締め付けられることにより、前記複数個の石材が連結一体化されている。そして、前記複数個の石材の内、上下隣り合う下段の石材の上面には、前記連結排水孔の孔上端に連通する状態で放射状に、４本以上の集排水溝が設けられており、又、上段の石材の下面には、前記下段の石材の上面に設けられている前記集排水溝の夫々に対応させて凍結逃がし溝が、上下向き合う状態で設けられており、又、前記集排水溝の外端は、前記上段の石材の下面から外方に突出しないようになされると共に、前記凍結逃がし溝の外端は、前記上段の石材の下面の外縁の内側に退いている。又前記連結排水孔に前記連結棒が挿通された状態で該連結棒の周囲部分に、下方向に水を排水する縦排水路が形成されている。又、前記最下段の石材に設けられている前記連結排水孔の孔下端に連通する状態で、該最下段の石材の下面に排出溝が設けられ、前記縦排水路を流下した水は、前記ナットが締め付けられた状態で、該排出溝の先側部分としての排水部を通して排出されることを特徴とするものである。
【００１５】
前記各耐震性石積構造物において、前記石積構造物が、墓石を構築するために用いられており、前記最下段の石材は、納骨用空間部を有する石材構造物上に積重されており、該石材には、該納骨用空間部に連通する通気空間が設けられ、該通気空間の上側の頂部分を上下方向に貫通するように前記連結排水孔が設けられたものとし、又、該通気空間に連通する通気空間を有する水鉢が設けられるものとなされ、該水鉢の上部には、該水鉢の通気空間に連通する通気空間を有した通気筒部を具備する線香立て兼用通気具が設けられており、該通気筒部には、該通気空間に連通する、防虫金網を以てなる通気開口が周方向に多数設けられており、又、該通気筒部の下端に、前記水鉢の通気空間への固定部が設けられると共に、該通気筒部の上端には、線香立てが設けられたものとして構成するのがよい。
【００１６】
前記耐震性石積構造物において、前記最下段の石材に設けられている前記通気空間は、該石材の前面で開口されることによって形成された前面開口部で前方に開放されると共に、該石材の下面で開口されることによって形成された下面開口部で下方に開放されたものとし、該前面開口部と該下面開口部との境界部分に、該境界部分の左右端を連結するように、棒状遮水壁が左右方向に延長する如く設けられており、該棒状遮水壁の前面は、前記石材の前面と面一であり、その下面は、前記石材の下面と面一に構成するがよい。
【発明の効果】
【００１７】
本発明は以下の如き優れた効果を奏する。
本発明に係る耐震性石積構造物は、複数個の石材を積重して全体を１本の連結棒で連結体化する構成を採用し、最上段の石材の下面部中央に前記連結棒の上端がネジ固定されると共に、その他の石材の中央には、上下方向に貫通する連結排水孔が設けられており、上下連通した連結排水孔に挿通せしめられた連結棒の下端が、最下段の石材の連結排水孔の下端で下方に突出せしめられ、該突出した下端に設けられている雄ネジ部にナットが螺合され締め付けられることにより、前記複数個の石材が連結一体化される構成を採用している。そして、上下隣り合う下段の石材の上面には、前記連結排水孔の孔上端の対向側で、該孔上端に連通する集排水溝が設けられており、又、上段の石材の下面には、前記下段の石材の上面に設けられている前記集排水溝の夫々に対応させて凍結逃がし溝が、上下向き合う状態で設けられている。又、前記連結排水孔に前記連結棒が挿通された状態で、該連結棒の周囲部分に、下方向に水を排水する縦排水路が形成されており、該縦排水路を流下した水は、前記ナットの締め付け部分又はその近傍に設けられた排水部を通して排出されるようになされている。
【００１８】
従って本発明によるときは、
(1) 墓石や灯籠等の石積構造物が地震時の振動によって転倒するのを防止できる耐震性石積構造物を簡易に構成できる。
【００１９】
(2) そして、連結排水孔に連結棒が挿通された状態で、該連結棒の周囲部分に縦排水路が形成されているため、上下の石材間の間隙に雨水が侵入したり、石材が吸収した水が該石材間の間隙に侵入する等して該間隙に介在した水を、該縦排水路を通して流下させ前記排水部で排出させ得る。従って、上下の石材間の間隙に水を介在させにくくできる。
【００２０】
(3) そして前記のように、下段の石材の上面に集排水溝が、連結排水孔の孔上端の対向側で、該孔上端に連通する状態で設けられているため、前記間隙に介在している水を該集排水溝によって集めることができ、これを速やかに縦排水路に排出させることができる。かかることから、該間隙に介在した水が前記連結棒に常時接触することによって該連結棒の腐食を促進して耐震性石積構造物の耐震性を劣化させるといった恐れがない。又、該間隙に介在している水の量が多いために、これが前記縦排水路を円滑に流下しきれない場合は、該集排水溝によって水を一時的に貯留できることになる。更に水量が多い場合は、上下向き合う状態の集排水溝と前記凍結逃がし溝の双方が水の貯留部として機能できるため、前記間隙に介在する多くの水を該貯留部で一時的に貯留できることとなる。
かかることから、該間隙に介在する水が溢れて上下の石材間の縁部分で流出するのを抑制でき、汚れた水が流出することによる墓石等の石積構造物の汚損を防止できる。又、石材間の間隙に雨水が侵入するのを抑制するために上下の石材間の縁部分にコーキング材が充填されてコーキング止水部が形成される場合は、このコーキング止水部が、内側で常時水に接触することによって劣化するのを抑制できることとなる。
【００２１】
(4) 特に寒冷地域にあっては、上下の石材間の間隙に残存している水が凍結することがあるが、前記のように、間隙に介在している水を集排水溝に集めてこれを縦排水路に導き、速やかに縦排水路で流下させ得るため、該間隙に残存する水の量を少なくできる。従って、この残存した水が凍結したとしても上段の石材が浮き上がる現象が生じにくい。そして、該集排水溝内に残存している水が比較的多くてこれが凍結して体積膨張した際に、これが該集排水溝の上端を越えたとしても、この越えた膨張部分を前記凍結逃がし溝内に逃がすことができる。これによって、集排水溝での凍結に伴う上段の石材の浮き上がり現象を抑制乃至防止できることになる。
このように、上段の石材の浮き上がり現象を抑制乃至防止できるため、前記最上段の石材の下面部に対するネジ固定が緩んだり、該最上段の石材の下面部に埋設した雌ネジ部が抜け方向に移動する等の現象を防止できることになる。かかることから、本発明によるときは、連結棒による耐震性石積構造物の耐震性能を長期間に亘って安定的に維持させ得ることとなる。
【００２２】
(5) 特に本発明が墓石に応用された場合、納骨用空間部を通気路を介して外気に連通状態とする場合は、該納骨用空間部を良好に換気できる。これにより、該納骨用空間部に突出状態となる前記連結軸の下端の雄ネジ部やナットが、該納骨用空間部に籠もった湿気や結露水によって腐食されるのを抑制でき、該耐震性石積構造物の耐震性の劣化を抑制でき、墓石の耐震性をより長期間に亘って維持させ得ることとなる。
そして該納骨用用空間部の換気を、線香立てと一体化されている通気具を用いて行うため、該通気具の周面部の全体が外気に開放した状態となし得る。かかることから、該周面部の通気開口で、納骨用空間の換気を効率的に行い得ることとなる。
又、前記縦排水路が前記排水部を介して前記石材の通気空間に連通しているため、上下の石材間の間隙が該通気空間に連通状態となっている。かかることから、該間隙に介在した水の蒸発促進を期待できる。
【００２３】
(6) 又、前記通気空間の前面開口部と下面開口部との境界部分に棒状遮水壁を設けたときは、雨水が該棒状遮水壁によって効果的に遮水され、該前面開口部を通して前記通気空間に侵入しにくい。これにより、通気空間や納骨用空間部に雨水が流入するのを極力防止できることになり、該納骨用空間部の換気効率の向上に寄与できる。
【実施例１】
【００２４】
以下、本発明の実施例を図面に基づいて説明する。
図１〜２において、本発明に係る耐震性石積構造物１は墓石９に応用されており、最上段の竿石７としての石材５と、最下段の芝台４としての石材５を含む複数個の石材５を積重して全体を１本の連結棒１４４で連結一体化してなる基本構成を有している。本発明において石材５としては、御影石が好適である。
【００２５】
前記墓石９は、本実施例においては、最下段の芝台４としての石材５上に、中台３としての石材５を積重し、その上に上台６としての石材５を積重すると共に、その上に寸輪８としての石材５を積重し、更にその上に、上下に長い竿石７としての石材５を積重した構成を有しており、本実施例に係る発明の要点の一つは、中台３としての石材５と、上台６としての石材５と、寸輪８としての石材５と、竿石７としての石材５の全体を１本の連結棒１４４で連結一体化した構成にある。
【００２６】
前記芝台４は、本実施例においては、図２〜３に示すように、平面視で正方形状の板体として構成されており、水平面として形成された芝台上面１４の中央部分に、納骨のための、例えば、前後に長い矩形状を呈して上端が開口した納骨用空間部６２が凹設されると共に、該納骨用空間部６２の底部の中央部分に、例えば円形状の納骨開口部６３が設けられている。又、該納骨用空間部６２の前側の左右に位置させて左右の芝台の連結孔１８，１８が上下方向に貫設されると共に、その後側の左右に位置させて左右の芝台の連結孔１８，１８が上下方向に貫設されている。芝台の連結孔１８の孔径は２０ｍｍに設定されると共に、その下端部分は孔径４０ｍｍに拡大されて、ナット２４を納めるための拡大孔２８とされている。
【００２７】
本実施例においては、該芝台４の前後方向長さは８７ｃｍに設定されると共にその左右幅は７８ｃｍに設定され、その厚さは２０ｃｍに設定されている。又、前記納骨用空間部６２の長辺の長さは４０ｃｍに設定されると共にその短辺の長さは２０ｃｍに設定されている。そして、前記納骨開口部６３の直径は１０ｃｍに設定されている。
【００２８】
前記中台３は、図２、図４に示すように、前記芝台上面１４の後側の設置面１４ａに設置されるもので、平面視で正方形状を呈する角柱状に構成されており、その内部に通気空間１４６を有している。該通気空間１４６は、該中台３の前面１４７の中央部で例えば矩形状に開口されることによって形成された前面開口部１４９で前方に開放されると共に、該中台３の下面１５０の中央部前側部分で矩形状に開口されることによって形成された下面開口部１５１で開放されている。該中台３の正方形の一辺は例えば６０ｃｍに設定されると共にその高さは例えば３２ｃｍに設定されている。そして該前面開口部１４９と該下面開口部１５１の境界部分には、該境界部分の左右端を連結するように、例えば一辺が３０ｍｍの正方形断面を呈して左右方向に延長する棒状遮水壁１５２が設けられており、該棒状遮水壁１５２の前面１５３と下面１５４は、夫々、中台３の前面１４７、下面１５０と面一である。
【００２９】
又該中台３の上面１５５の四隅には、前記通気空間１４６の外側に位置させて、前記芝台の連結孔１８，１８，１８，１８に夫々連通するように中台の連結孔１５６，１５６，１５６，１５６が上下方向に貫設されている。該中台の連結孔１５６の孔径は２０ｍｍに設定されると共に、その上端部分は孔径が４０ｍｍに拡大されて、ナット６４を納めるための拡大孔１５８とされている。
【００３０】
又、該中台３の上面１５５の中央部分は、正方形状を呈する水平な設置面１５９として形成されており、周辺よりも稍高く形成されている。該水平な載置面（中台３の上面１５５）１５９の中央部位には、図５（Ａ）に示すように、前記通気空間１４６の上側の頂部分１６０を上下方向に貫通するように中台の連結排水孔１６１が設けられている。該中台の連結排水孔１６１の孔径は例えば２０ｍｍに設定されている。なお本実施例においては、該中台３の連結排水孔１６１の上端周辺は、後述の縦排水路２３９への水の流入を円滑化すると共に、孔上端１６２への前記連結棒１４４の挿入を容易化するために面取りされて円錐状凹面１６３が形成されている。そして該中台３の前記頂部分１６０の下面１５０には、図５に示すように、該中台の連結排水孔１６１の孔下端１６５に連通する状態で、例えば十字状形態で排出溝１６７ａが設けられている。
【００３１】
そして図４（Ａ）、図５に示すように、該中台３の上面１５５の、前記中台の連結排水孔１６１の孔上端１６２の対向側で、該孔上端１６２に連通する集排水溝１６９が設けられている。該集排水溝１６９は本実施例においては、該孔上端１６２に連通する状態で放射状に４本設けられており、前記水平な設置面１５９のコーナ１７０と該孔上端１６２の中心とを結ぶ直線に沿って設けられている。該集排水溝１６９の外端は、該中台３の外面を破らないように設けられている。もしも破ると、墓石の外観を損なうばかりでなく、そこから集排水溝１６９内に雨水が侵入するからである。本実施例においては、該集排水溝１６９の外端１７１を前記コーナ１７０から稍内側に例えば３０ｍｍ程度退いた状態で設けている。該集排水溝１６９の溝幅は１０ｍｍ程度で、その溝深さは、図５に示すように、外端１７１から内端１７２に向けて水勾配を有する如く形成されており、外端１７１で例えば１０ｍｍ深さで、内端１７２で例えば２０ｍｍ深さに設定されている。
【００３２】
かかる構成を有する中台３は、図６に示すように、前記芝台４の水平な芝台上面１４の中央の設置面１４ａに該中台３の下面１５０を当接させて載置されるもので、これにより、前記芝台４上に該中台３が設置された状態となる。この設置状態で、該中台の前側に、水平な前側の設置面１４ｂが形成される。
【００３３】
これを具体的に説明すれば、該中台３を、図６に示すように、前記中台の連結排水孔１６１，１６１，１６１，１６１の夫々を前記芝台の連結孔１８，１８，１８，１８の対応のものに位置合わせし、前記芝台４の中央の設置面１４ａに該中台３の下面１５０を当接させて載置する。この状態で図６に示すように、例えばステンレス製のもので上下端に雄ネジ部３４，３８が設けられてなる連結軸４４，４４，４４，４４の夫々を、前記中台の連結孔１６１と前記芝台の連結孔１８が連通した連通連結孔４８に挿通し、前記拡大孔２８内で、図６（Ｃ）に示すように、該連結軸４４の下の雄ネジ部３８に座金５４を介してナット２４を螺合すると共に、前記拡大孔１５８内で、上の雄ネジ部３４に座金５８を介してナット６４を螺合し締め付ける。この状態で、連結軸４４の上の雄ネジ部３４とナット６４が前記拡大孔１５８に納まり上方に突出しない。これにより、中台３が芝台４に固定状態に設置されることとなる。
【００３４】
そしてこのように連結された状態で、前記のように、連結軸４４の直径が１６ｍｍに設定されると共に前記連通連結孔４８の孔径が２０ｍｍに設定されているため、図６（Ｂ）（Ｃ）に示すように、該連結軸４４の周囲部分に、縦方向排水路６８が形成される。そして、前記拡大孔２８に納まる、該連結軸４４の下の雄ネジ部３８には、前記のように、座金５４を介してナット２４が螺合され該ナット２４が締め付けられた状態となっているが、該縦方向排水路６８を流下した水は該ナット２４の締め付け部分に生ずる排出部（隙間）７４を通して徐々に排出されるようになされている。
【００３５】
なお図７に示すように、前記拡大孔２８の頂面（上面）７８に、前記連通連結孔４８の孔下端８４に連通する頂面排出溝８８を設け、該頂面排出溝８８が、該頂面７８に対しての当接固定部分（座金５４やナット２４）１２４の外方に延長状態とすることにより、前記縦方向排水路６８を流下した水を、該頂面排出溝８８の先側部分としての排出部７４から円滑に排出させ得ることとなる。
【００３６】
図８（Ａ）は、前記頂面排出溝８８を設ける代わりに、図８（Ｂ）に示す、排出溝１１４が設けられた排出用座金１１８を、その排出溝１１４を上向きにして前記頂面７８に当接させて後、前記座金５４を介して前記ナット２４を下の雄ネジ部７４に螺合し締め付けた状態を示すものである。この場合は、前記縦方向排水路６８を流下した水を該排出溝１１４の先端１１４ａとしての排出部７４から円滑に排出させ得ることとなる。
【００３７】
なお本実施例においては、図６に示すように、Ｌ字状に屈曲したアンカーボルト９４を介して前記芝台４を現場打ちコンクリート１３９の打設（前記納骨開口部６３を塞がないように打設する）によって地面に固定することとしているため、前記ナット２４を長ナット２４ａとしている。図６においては、該長ナット２４ａの下半分９８が前記芝台４の下面１０４で下方に突出状態とし、該下半分９８に前記アンカーボルト９４の垂直軸部１１８の上端ネジ部１３４を螺合し締め付けて、該アンカーボルト９４を該芝台４の下面１０４で突出状態としている。
【００３８】
そして、該中台３がこのように設置された状態で、図１〜２に示すように、前記前側の設置面１４ｂの中央に前記水鉢８７が載置されると共にその両側に花立て８９，８９が載置される。該水鉢８７を取り除くことによって前記前面開口部１４９を開口させることができ、これにより、該前面開口部１４９を通して、前記通気空間１４６に対し墓参り用の掃除道具を出し入れできる。
【００３９】
該水鉢８７は図９に示すように、その内部に通気空間１８７を有している。該通気空間１８７は、該水鉢８７の上面１８９の中央部で開口されることによって形成された、例えば円形の取り付け孔１９０で上方に開放されると共に、該水鉢８７の後面１９１で開口されることによって形成された後面開口部１９２で開放されている。そして該後面開口部１９２は前記通気空間１４６の前記前面開口部１４９に連なるようになされている。そして該取り付け孔１９０には図１０に示すように、線香立て兼用通気具１９３が着脱可能に取り付けられる。
【００４０】
該線香立て兼用通気具１９３は図９〜１０に示すように、内部に、下端が開放した通気空間１８８を有しており、通気筒部１９４の上端に、上端が開放した細い筒状を呈する筒状線香立て１９５が設けられ、該通気筒部１９４の下端には固定筒部１９６が設けられている。該固定筒部１９６は上下端が開放した筒状を呈しており、その上端に、前記取り付け孔１９０の上端周縁部分に載置される環状鍔部１９７が屈曲形成されている。そして該固定筒部１９６の外側面に取り付けられたバネ部材１９９の付勢作用によって、該固定筒部１９６は該取り付け孔１９０に挿入された状態で前記水鉢８７に、着脱可能の固定状態とされる。該通気筒部１９４は、図１０に示すように、周方向に多数の通気開口２００が設けられており、該通気開口２００は、前記通気空間１８８に連通している。該通気開口２００は、本実施例においては筒状防虫金網２０１を以って形成されており、該筒状防虫金網２０１は、前記通気開口２００を通して内部に蜂等が進入して巣を作るのを防止する。そして前記通気筒部１９４の上端には、前記通気開口２００内に雨水が進入するのを極力防止する目的で傘状鍔部２０２が周設されている。
【００４１】
図２、図１０は、線香立て兼用通気具１９３が水鉢８７の上端に固定された状態を示すものであり、前記芝台４の納骨用空間部６２が、前記中台３の通気空間１４６と、前記水鉢の通気空間１８７と、前記線香立て兼用通気具１９３の内部に設けられている通気空間１８８（図１０）からなる通気路２０３に連通され、前記通気開口２００を介して外気に連通状態とされ、これにより、該納骨用空間部６２の換気が可能となされている。なお該水鉢８７の上面の両側には蝋燭立て２０５，２０５が設けられている。
【００４２】
前記上台６は、図１１〜１２に示すように、平面視で正方形状を呈する角柱状に形成されており、その上面２０６の中央部分は、正方形状を呈する水平な設置面２０７として形成され、周辺よりも稍高く形成されている。そして該上台６は、図１６に示すように、前記中台３の水平な載置面（中台の上面）１５９に下面２０９を当接させて該中台３に積重される。本実施例においては、その正方形の一辺が例えば４４ｃｍに設定されると共にその高さが３０ｃｍに設定されている。
【００４３】
そして該上台６の前記水平な載置面（上台の上面）２０７の中央部位には、前記中台の連結排水孔１６１と連通し得る、直径が２０ｍｍの、上台の連結排水孔２１１が垂直状態に貫設されている。該上台の連結排水口２１１の上端周辺は、後述の縦排水路２３９への水の流入を円滑化すると共に、孔上端２１２への前記連結棒１４４の挿入を容易化するために面取りされて円錐状凹面２１３が形成されている。
【００４４】
そして図１１（Ａ）に示すように、該上台の連結排水孔２１１の孔上端２１２の対向側で、該孔上端２１２に連通する集排水溝１６９が設けられている。該集排水溝１６９は本実施例においては、該孔上端２１２に連通する状態で放射状に４本設けられており、前記水平な設置面２０７のコーナ２１３と該孔上端２１２の中心とを結ぶ直線に沿って設けられている。該集排水溝１６９の外端１７１は、該上台６の外面を破らないように設けられている。もしも破ると、墓石の外観を損なうばかりでなく、そこから集排水溝１６９内に雨水が侵入するからである。本実施例においては、該集排水溝１６９の外端１７１を前記コーナ２１３から稍内側に例えば３０ｍｍ程度退いた状態で設けている。該集排水溝１６９の溝幅は１０ｍｍ程度で、その溝深さは、外端１７１から内端１７２に向けて水勾配を有する如く形成されており、外端１７１で例えば１０ｍｍで、内端１７２で例えば２０ｍｍ深さに設定されている。
【００４５】
又該上台６の水平な下面２０９には図１１（Ｂ）、図１２に示すように、前記中台３の上面１５５に設けられている前記集排水溝１６９，１６９，１６９，１６９と対応させて、凍結逃がし溝２１６，２１６，２１６，２１６が上下向き合う状態（図１２（Ｃ））で、前記上台の連結排水孔２１１の孔下端２１７に連通状態となるように放射状に設けられている。本実施例においては上台６が平面視で正方形状を呈するため、該凍結逃がし溝２１６は、前記正方形状の下面２０９のコーナ２１９と前記孔下端２１７の中心とを結んだ直線に沿って設けられており、その溝深さは例えば１０ｍｍに設定されている。そして、該凍結逃がし溝２１６の外端２２０は、該コーナ２１９から稍内側に例えば３０ｍｍ程度退いた状態で設けられている。
【００４６】
そして、該上台６が、前記中台３の水平な載置面（中台の上面）１５９に下面２０９を当接させて該中台３に積重された状態で、前記中台３の上面１５５に設けられている前記集排水溝１６９の外端１７１は、図１６に示すように、該上台６の下面２０９の外縁２２２の内側に退いている。
【００４７】
前記寸輪８は、図１３に示すように、平面視で正方形状を呈して中間部分が外方に拡がった角柱状に形成されており、その上面２５５の中央部分は、正方形状を呈する水平な設置面２５６として形成され、周辺よりも稍高く形成されている。そして該寸輪８は、前記上台６の水平な載置面（上台の上面）２０７に下面２５７を当接させて該上台６に積重される。本実施例においては、その正方形の一辺が例えば４４ｃｍに設定されると共にその高さが１７ｃｍに設定されている。
【００４８】
そして、該寸輪８の水平な載置面（寸輪の上面）２５６の中央部位には、図１４（Ａ）に示すように、前記上台６に設けられている連結排水孔２１１と連通し得る、直径が２０ｍｍの連結排水孔２５９が垂直状態に貫設されている。該連結排水孔２５９の上端周辺は、図１４（Ｂ）に示すように、後述の縦排水路２３９への水の流入を円滑化すると共に、孔上端２６０への前記連結棒１４４の挿入を容易化するために面取りされて円錐状凹面２５８が形成されている。
【００４９】
又、該連結排水孔２５９の孔上端２６０の対向側で、該孔上端２６０に連通する集排水溝１６９が設けられている。該集排水溝１６９は本実施例においては、図１３（Ａ）に示すように、該孔上端２６０に連通する状態で放射状に４本設けられており、前記水平な設置面２５６のコーナ２６１と該孔上端２６０の中心とを結ぶ直線に沿って設けられている。該集排水溝１６９の外端１７１は、該寸輪８の外面を破らないように設けられている。もしも破ると、墓石の外観を損なうばかりでなく、そこから集排水溝１６９内に雨水が侵入するからである。本実施例においては、該集排水溝１６９の外端１７１を前記コーナ２６１から稍内側に例えば３０ｍｍ程度退いた状態で設けている。該集排水溝１６９の溝幅は１０ｍｍ程度で、その溝深さは、外端１７１から内端１７２に向けて水勾配を有する如く形成されており、外端２６２で例えば１０ｍｍ深さで、内端１７２で例えば２０ｍｍ深さに設定されている。
【００５０】
又該寸輪８の水平な下面２５７には、図１３（Ｂ）に示すように、前記上台６の上面２０６に設けられている前記集排水溝１６９，１６９，１６９，１６９と対応させて、凍結逃がし溝２１６，２１６，２１６，２１６が、図１４（Ｃ）に示すように上下向き合う状態で、前記連結排水孔２５９の孔下端２６３に連通状態となるように放射状に設けられている。本実施例においては寸輪８が平面視で正方形状を呈するため、該凍結逃がし溝２１６は、前記正方形状の下面２５７のコーナ２６５と前記孔下端２６３の中心とを結んだ直線に沿って設けられており、その溝深さは例えば１０ｍｍに設定されている。そして、該凍結逃がし溝２１６の外端２２０は該コーナ２６５から稍内側に例えば３０ｍｍ程度退いた状態で設けられている。
【００５１】
そして、該寸輪８が、前記上台６の水平な載置面（上台の上面）１５９に下面２５７を当接させて該上台６に積重された状態で、前記上台６の上面２０６に設けられている前記集排水溝１６９の外端１７１は、図１６（Ａ）に示すように、該寸輪８の下面２５７の外縁２６６の内側に退いている。
【００５２】
又前記竿石７は、図１５（Ａ）（Ｂ）に示すように、平面視で正方形状を呈して上下に長い角柱状に形成されており、図１６に示すように、水平な下面２２３が前記寸輪８の水平な設置面（寸輪の上面）２５６に当接した状態で該上台６に積重される。そして該下面２２３の中央部位（下面部中央）には、図１５（Ｂ）（Ｃ）に示すように雌ネジ部（例えば、上端部分が打ち込みによって拡開する打ち込み式のインサート）２２５が埋設されている。
【００５３】
そして、該竿石７の下面２２３には、前記寸輪８の上面２５５に設けられている前記集排水溝１６９，１６９，１６９，１６９と対応させて、凍結逃がし溝２１６，２１６，２１６，２１６が、図１５（Ｄ）に示すように上下向き合う状態で放射状に設けられている。本実施例においては竿石７が平面視で正方形状を呈するため、該凍結逃がし溝２１６は、前記正方形状の下面２２３のコーナ２２６と前記雌ネジ部２２５の中心とを結んだ直線に沿って設けられており、その溝深さは例えば１０ｍｍに設定されている。そして、該凍結逃がし溝２１６の外端２２０は該コーナ２２６から稍内側に例えば３０ｍｍ程度退いた状態で設けられており、その内端２２９は前記雌ネジ部２２５から外方に稍退いている。
【００５４】
そして、該竿石７が、前記寸輪８の水平な載置面（上台の上面）２５６に下面２２３を当接させて該上台６に積重された状態で、該寸輪８の上面２５５に設けられている前記集排水溝１６９の外端１７１は、図１６に示すように、該竿石７の下面２２３の外縁２３０の内側に退いている。
【００５５】
次に、前記構成を有する前記中台３と前記上台６と前記寸輪８と前記竿石７とを前記連結棒１４４で連結一体化する施工要領を説明する。
【００５６】
先ず、図１６〜１７に示すように、前記上台の連結排水孔２１１を前記中台の連結排水孔１６１に位置合わせし、且つ該上台６を、その前面を墓石正面にして、前記中台３の水平な設置面（中台の上面）１５９に、該上台の下面２０９を当接させて載置する。これにより、前記上台６の下面２０９に設けられている前記凍結逃がし溝２１６，２１６，２１６，２１６が、前記中台３の上面１５５に設けられている前記集排水溝１６９，１６９，１６９，１６９の夫々に対応して、上下向き合う状態となる。
【００５７】
その後、前記寸輪の連結排水孔２５９を前記上台の連結排水孔２１１に位置合わせし、且つ前記寸輪８の前面を墓石正面にして、該寸輪８を、前記上台６の水平な設置面（上台の上面）２０７に該寸輪８の下面２６２を当接させて載置する。これにより、図１６（Ｃ）に示すように、前記寸輪８の下面２５７に設けられている前記凍結逃がし溝２１６，２１６，２１６，２１６が前記上台６の上面２０６に設けられている前記集排水溝１６９，１６９，１６９，１６９の夫々に対応して、上下向き合う状態となる。
【００５８】
この状態で図１６〜１７に示すように、例えばステンレス製のもので上下端に雄ネジ部２３１，２３２が設けられてなる前記連結棒１４４を、前記寸輪の連結排水孔２５９と前記上台の連結排水孔２１１と前記中台の連結排水孔１６１が連通した連通孔２３３に挿通し、前記竿石７が吊下状態で、該連結棒１４４を持ち上げてその上端の雄ネジ部２３１を前記雌ネジ部２２５に螺合せしめる。その後、図１６〜１７に示すように、該竿石７の前面を墓石正面にして、前記寸輪８の水平な設置面（寸輪の上面）２５６に該竿石７の下面２２３を当接させて、該竿石７を該寸輪８上に載置する。これにより、前記竿石７の下面２２３に設けられている前記凍結逃がし溝２１６，２１６，２１６，２１６が前記寸輪８の上面２５５に設けられている前記集排水溝１６９，１６９，１６９，１６９の夫々に対応して、上下向き合う状態となる。
【００５９】
その後、図１６〜１７、図１８〜１９に示すように、前記中台の連結排水孔１６１の孔下端１６５（図１７）で下方に突出した下端の雄ネジ部２３２に座金２３６を介して下のナット２３７を螺合し締め付ける。これにより、積重状態にある上台６と寸輪８と竿石７と中台３の全体が１本の連結棒１４４で連結一体化されることとなる。そしてこの状態で、該連結棒１４４の周囲部分に、下方向に水を排水する縦排水路２３９が形成される。そして、前記排出溝１６７ａが、前記中台の下面１５０に対しての当接固定部分（座金２３６やナット２３７）２３８の外方に延長しており、該排出溝１６７ａの先側部分としての排水部１６７が、前記縦排水路２３９に連通している。これにより、該縦排水路２３９を流下した水を該排水部１６７から円滑に排出させ得ることとなる。
【００６０】
なお、上下の石材５，５間の間隙２４０に雨水が侵入するのを抑制するために上下の石材間の縁部分２４１には通常、図２０に示すように、コーキング材が充填されてコーキング止水部２４２が形成される。該コーキング材を充填する際、図２０に示すように、該縁部分２４１の外端側を切欠し、該切欠により形成した隙間２４３を通して、内側に向けて例えば１０〜２０ｍｍ幅でコーキング止水部２４２を形成する。これによって所要の墓石９が構築されることになる。
【００６１】
然してかかる構成を有する墓石９としての耐震性石積構造物１によるときは、図６に示すように、前記芝台４と前記中台３とが前記連結軸４４によって強固に連結一体化されると共に、図１６に示すように、前記中台３と前記上台６と前記寸輪８と前記竿石７とが前記連結棒１４４によって強固に連結一体化される。かかることから、該墓石９としての石積構造物は、全体として耐震性に優れており、地震時の振動によっても転倒するのが確実に防止される。そして該連結軸４４、該連結棒１４４が、共に、墓石の内部に隠れた状態となって外から目視されないため、これらが墓石の外観を損なうこともない。
【００６２】
そして前記通気空間１４６の上側の頂部分１６０の下面１５０に、図１９に示すように、前記中台の連結排水孔１６１の孔下端１６５（図５）に連通する状態で排出溝１６７ａが設けられており、該排出溝１６７ａは前記座金２３６の外方に延長し、その先側部分としての排水部１６７で、前記縦排水路２３９を流下した水を排出させるようになされている。又前記のように、前記連結軸４４の周囲部分に下の縦方向排水路６８（図６）が形成されされている。
【００６３】
それ故、上下の石材５，５間の前記間隙２４０（図２、図１６、図２０）に雨水が侵入したり、石材５が吸収した水が該石材間の間隙２４０に侵入する等して該間隙２４０に介在した水の一部分を、前記縦排水路２３９（図１７）を通して流下させ、前記通気空間１４６において、前記排水部１６７（図１９）で排出させ得る。そして、前記上台６と前記中台３との間、前記中台３と前記寸輪８との間、及び、前記寸輪８と前記竿石７との間で、前記集排水溝１６９と前記凍結逃がし溝２１６とが、上下向き合う状態で前記連結排水孔の孔上端や孔下端に連通状態となるように設けられている。本実施例においては、４本の集排水溝１６９と４本の凍結逃がし溝２１６が、上下向き合う状態で放射状に設けられている。
【００６４】
従って、前記上下の石材間の間隙２４０に介在した水を前記集排水溝１６９に効率的に流入させて集めた後、これを前記縦排水路２３９に円滑に流入させることができる。前記集排水溝１６９と前記凍結逃がし溝２１６とが上下向き合う状態とはなっても、上下の石材５，５間には間隙２４０が存するため（上下の石材５，５の当接する面は平滑でないために間隙２４０が存する）、該間隙２４０に介在した水を該集排水溝１６９に流入させることができる。
【００６５】
かかることから該間隙２４０に介在した水の多くの部分を、より速やかに排出できることになる。それ故、該間隙２４０に介在した水が前記連結棒１４４に長時間に亘って接触することにより該連結棒１４４の腐食を促進し、墓石９の耐震性を劣化させるといった恐れがない。
【００６６】
又、前記縦排水路２３９を流下する水の量が、円滑に流下する程度であれば問題はないが、流下しきれない水量であるときは、前記間隙２４０に水が溜まることになる。本発明においては、前記集排水溝１６９と前記凍結逃がし溝２１６とが上下向き合う状態となるため、前記間隙２４０における介在水の量が多くなったときには、先ず、該集排水溝１６９に貯留されるが、更に水量が多い場合は、上下向き合う状態の該集排水溝１６９と前記凍結逃がし溝２１６とが水の貯留部として機能し、図２１に示すように、前記間隙２４０に介在する水の多くを該貯留部で一時的に貯留できることとなる。
【００６７】
従って、該間隙２４０に介在する水が、上下の石材間の縁部分２４１（図２０）で流出するのを抑制でき、汚れた水による墓石９の汚損を防止できる。又、石材間の間隙２４０に雨水が侵入するのを抑制するために、図２０に示すように、上下の石材間の縁部分２４１にコーキング材を充填してコーキング止水部２４２を形成する場合は、このコーキング止水部２４２が、内側で長時間に亘って水に接触することに伴い劣化等するのを抑制できることとなる。即ち、該間隙２４０に介在した水が該コーキング止水部２４２に長時間に亘って接触した状態になると、該コーキング止水部２４２が劣化したり、コーキング止水部にひび割れが生じたり、これが剥がれたりして、止水効果が有効に発揮されなくなるという問題が生じやすいのであるが、これを防止できることになるのである。
【００６８】
そして寒冷地域にあっては、上下の石材間の間隙２４０に残存している水が凍結することがあるが、このように、間隙２４０に残存する水の量を少なくできるため、これが凍結したとしても上段の石材が浮き上がる現象が生じにくい。そして、該集排水溝１６９に残存している水が比較的多くてこれが凍結して体積膨張した際に該集排水溝１６９の上端２４５を越えたとしても、図２２に示すように、この越えた膨張部分を前記凍結逃がし溝２１６に逃がすことができる。これらによって、集排水溝１６９での凍結に伴う上段の石材の浮き上がり現象を抑制乃至防止できることになる。
【００６９】
このように、上段の石材の浮き上がり現象を抑制乃至防止できるため、前記竿石７の下面部に埋設されている前記雌ネジ部２２５に対する前記連結棒１４４の上端の雄ネジ部２３１の螺合状態が緩んだり、埋設状態にある雌ネジ部２２５が抜け方向に移動する現象を防止できることになる。かかることから本発明によるときは、連結棒１４４による墓石の耐震性能を長期間に亘って安定的に維持させ得ることとなる。
【００７０】
又本実施例においては図２に示すように、前記芝台４の納骨用空間部６２が、前記通気空間１４６，１８７，１８８（図１０）からなる通気路２０３の外端部をなす前記通気開口２００（図１０）を介して外気に連通状態とされているため、例えば図２に矢印で示すように、該納骨用空間部６２の換気が良好に行われる。かかることから、前記連結棒１４４の下端の雄ネジ部２３２やナット２３７（図１６〜１７）等が腐食しにくく、これにより、前記墓石の耐震性の劣化を抑制でき、墓石の耐震性を、より長期間に亘って維持させ得ることとなる。
【００７１】
又本実施例においては、図１０に示すように、通気空間１４６の前面開口部１４９と下面開口部１５１との境界部分に棒状遮水壁１５２が左右方向に延長する状態で設けられており、該棒状遮水壁１５２の下面１５４が前記芝台上面１４（図１、図１０）に当接状態となるため、該前面開口部１４９の下縁２４７（図１０）は該芝台上面１４から浮き上がっている。本実施例においては３０ｍｍ浮き上がっている。かかることから、芝台上面１４に降った雨水が該棒状遮水壁１５２によって効果的に遮水され、該前面開口部１４９を通して前記通気空間１４６に侵入しにくい。これにより、雨水が通気空間１４６や納骨用空間部２に流入するのを極力防止できることになり、該納骨用空間部２の換気効率の向上に寄与できる。
【００７２】
そして図１６〜１９に示すように、前記縦排水路２３９が前記排水部１６７を介して前記通気空間１４６に連通しているため、上下の石材間の間隙２４０（図２、図１６、図２０）が該通気空間１４６に連通状態となっている。かかることから、該間隙２４０に介在した水の蒸発促進も期待できる。
【実施例２】
【００７３】
図２３〜２４は、本発明に係る耐震性石積構造物１の他の実施例を示すもので、墓石９に応用されており、最上段の竿石７としての石材５と、最下段の芝台４としての石材５を含む複数個の石材５を積重して全体を１本の連結棒１４４で連結一体化してなる基本構成を有している点においては実施例１と共通している。該基石９は、内部に納骨用空間部６２が設けられた丘カロート構造物Ａを用いて構成されており、該丘カロート構造物Ａ上に、中台３としての石材５を積重し、その上に上台６としての石材５を積重し、更にその上に、上下に長い竿石７としての石材５を積重した構成を有しており、本実施例に係る発明の要点の一つは、中台３としての石材５と、上台６としての石材５と、竿石７としての石材５の全体を１本の連結棒１４４で連結一体化した構成部分にある。
【００７４】
該丘カロート構造物Ａは、図２３〜２６に示すように、全体が石製部材を組み合わせて構成されており、正方形板状を呈する基板部材１０と、該基板部材１０の基板上面１１の四隅に位置して立設される同高さの支柱部材１２，１２，１２，１２と、隣り合う支柱部材１２，１２間に形成される開口部１３の内、墓石の正面側に存する前の開口部１３ａを覆う門形の前の側板部材１５と、該前の側板部材１５の前面１６に重なる状態で設置される扉板部材１７と、墓石９の左右の側面側に存する左右の開口部１３ｂ，１３ｃを覆う左右の側板部材１９，２０と、墓石の背面側に存する後の開口部１３ｄを覆う後の側板部材２１と、前記四隅の支柱部材１２，１２，１２，１２と前記前後の側板部材１５，２１と前記左右の側板部材１９，２０の上に載置される平板状の天板部材２２と、該天板部材２２の上に載置される上板部材２３とから構成されている。
【００７５】
前記支柱部材１２は図２６〜２９に示すように、横断面が正方形状を呈しており上端から下端に向けて正方形の一辺が大きくなるように拡大しており、支柱上面２５と支柱下面２６が正方形状の水平面として形成されている。そして、内側に位置して隣り合う二つの内側支柱側面（隣り合う支柱部材１２，１２の向き合う側面）２７，２７は垂直面として形成されると共に、外側の２つの側面２９，２９は、その上下の端部分が上下の垂直面３０，３１、３０，３１として形成されており、該上下の垂直面３０，３１間の部分３２，３２は、上から下に向けて外側に拡大する湾曲面として形成されている。
【００７６】
そして、垂直面をなす前記内側支柱側面２７，２７の、例えば内側のコーナ３５寄り部分には、上下方向に延長し且つ上下端が開放すると共に内側支柱側面２７，２７で開放された、断面矩形状を呈する縦嵌入溝３３，３３が設けられている。又、前記水平な支柱下面２６には嵌入突部３６が突設されている。該嵌入突部３６は、その突部下面３７が水平面に形成されると共に、その外周縁３９は、該支柱下面２６の外周縁４０の稍内側に退いた状態で且つ該外周縁４０に沿う形態とされている。そして該支柱下面２６の、該嵌入突部３６の外側に存する周縁部分はカバー縁面４１とされている。又、正方形状を呈する前記支柱上面２５の中心には、上下端が開放した支柱の連結孔４２が上下方向に貫設されている。
【００７７】
かかる構成を有する支柱部材１２の主要部の寸法を例示すれば、前記支柱上面２５の正方形の一辺は１４ｃｍに設定されると共に、前記支柱下面２６の正方形の一辺は２０ｃｍに設定されている。又、前記縦嵌入溝３３，３３の溝幅は４０ｍｍに設定されると共に、前記嵌入突部３６の下方への突出量は１０ｍｍに設定されている。そして前記カバー縁面４１の幅は５ｍｍに設定されている。又、前記支柱部材１２の高さは４６ｃｍに設定され、前記支柱の連結孔４２の直径は２０ｍｍに設定されている。
【００７８】
前記基板部材１０は、平面視で正方形状又は長方形状を呈する板体として構成されている。本実施例においては、図２６、図３０〜３１に示すように正方形板状を呈しており、その基板上面４３の四隅に位置させて前記支柱部材１２，１２，１２，１２が立設される。該支柱部材１３，１３，１３，１３は、図２６に示すように、その内側に位置する前記二つの内側支柱側面２７，２７に設けられている前記縦嵌入溝３３，３３が対向状態となるように立設される。そのために該基板上面４３の四隅には、前記嵌入突部３６，３６，３６，３６を嵌め入れるための、平面視で正方形状を呈する窪み部４５，４５，４５，４５が凹設されている。
【００７９】
該窪み部４５の大きさは、図２９に示すように、該窪み部４５に前記嵌入突部３６を嵌め入れたときに前記カバー縁面４１が該窪み部４５の上端周縁部分４６に当接状態となり、これにより該窪み部４５の上端縁４７が該カバー縁面４１で覆い隠されるようになされている。そして該カバー縁面４１が該上端周縁部分４６に当接した状態で、前記嵌入突部３６の突部下面３７と該窪み部４５の窪み部底面５０との間に排水間隙５１が形成されるようになされている。
【００８０】
そして前記基板上面４３には、図３０（Ａ）、図３１（Ａ）に示すように、前後隣り合う窪み部４５ａ，４５ｂ，４５ｃ，４５ｄを夫々連結するように左右の排水溝（上端開放）５２，５２が設けられると共に、後に位置する左右隣り合う窪み部４５ｂ，４５ｄを連結するように後の排水溝（上端開放）５２が設けられており、各排水溝５２の長さ方向の中間部位（本実施例においては中央部位）において、溝底面５５に排水孔５６が、前記基板部材１０を上下方向に貫通するように設けられている。なお本実施例においては、納骨に際して前記扉板部材１７を取り外した際に、前に位置する左右隣り合う窪み部４５ａ，４５ｃの間が目視可能となるために、丘カロート構造物の美観を考慮して、該窪み部４５ａ，４５ｃの間には排水溝を設けていない。
【００８１】
各排水溝５２は、図３２〜３３に示すように、前記窪み部４５に前記嵌入突部３６を嵌め入れて立設状態とされた隣り合う支柱部材１２，１２の前記対向する縦嵌入溝３３，３３の下端部分５７，５７を繋ぐように設けられており、該排水溝５２の溝底面５５は前記窪み部４５の窪み部底面５０と面一に形成されている。該溝底面５５は水平に形成されてもよいのであるが、本実施例においては図３２に示すように、該排水孔５６の両側の溝底面部分５５ａ，５５ａは、該排水孔５６に向けて下方に傾斜する水勾配が設けられている。これにより、前に位置する左右隣り合う窪み部４５ａ，４５ｃの間に排水溝を設けていなくても、各窪み部４５ａ，４５ｂ，４５ｃ，４５ｄに形成される全ての排水間隙５１，５１，５１，５１の水を、何れかの排水溝５２に流して（より具体的には後述の排水路１０８に流して）、前記排水孔５６で排出させ得る。
【００８２】
そして前記窪み部底面５０には、図３０〜３１、図３３に示すように、前記支柱部材１２に貫設されている前記支柱の連結孔４２と連通状態で、基板の連結孔５９が前記基板部材１０を上下方向に貫通するように設けられている。該基板の連結孔５９の下側部分は、後述のナット１２５を納めるための拡大孔５８とされている。そして、前記窪み部底面５０における該基板の連結孔５９の配設状態は、本実施例においては図３１（Ｂ）（Ｃ）に示すように、前記排水溝５２を前記窪み部４５内で延長させたと仮定した場合（延長部分を一点鎖線又は二点鎖線で示している）の排水溝の溝幅の範囲に全体が納まり或いはその一部が納まるように設定されている。又本実施例においては、前記排水間隙５１内の水を該基板の連結孔５９に向けて円滑に誘導できるようにするために、図３０（Ａ）、図３１に示すように、窪み部底面５０の各コーナ６０，６０，６０，６０と該基板の連結孔５９とを結ぶように水誘導溝６１が設けられている。
【００８３】
又本実施例においては、該基板部材１０の中央部分に、例えば正方形状を呈して上端が開口した納骨用空間部６２が凹設されると共に、該納骨用空間部６２の底部の中央部分に、例えば円形状を呈する納骨開口部６３が設けられている。
【００８４】
かかる構成を有する基板部材１０の各部の寸法を例示すれば、その正方形の一辺の長さは１６５ｃｍに設定されると共に、前記窪み部４５の深さは３０ｍｍに設定され、前記排水溝５２の溝幅は、前記縦嵌入溝３３の溝幅に等しい４０ｍｍに設定されている。又、前記基板の連結孔５９の孔径は、前記支柱の連結孔４２の直径に等しい２０ｍｍに設定されると共に、前記水誘導溝６１の溝幅は５ｍｍに設定され、その溝深さは５ｍｍに設定されている。
【００８５】
又、前記天板部材２２は図３４に示すように、正方形板状を呈しており、その中央部分に、下の通気孔（本実施例においては円形状通気孔）６５が設けられている。そして該天板部材２２の四隅には、立設状態にある前記支柱部材１２，１２，１２，１２に設けられている前記支柱の連結孔４２，４２，４２，４２と連通状態に外側の天板の連結孔６６，６６，６６，６６が設けられており、該外側の天板の連結孔６６の上側部分は、後述のナット１２７を納めるための拡大孔６７とされている。又、前記下の通気孔６５の周縁部分の四隅には内側の天板の連結孔６９，６９，６９，６９が設けられており、該内側の天板の連結孔６９の下側部分は、後述のナット１８０を納めるための拡大孔７０とされている。各部の寸法を例示すれば、天板部材２２の正方形の一辺の長さは８９ｃｍに設定されると共に、その厚さは７ｃｍに設定されている。又、前記下の通気孔６５の直径は６ｃｍに設定されると共に、前記外側の天板の連結孔６６の孔径は、前記支柱の連結孔４２の直径に等しい２０ｍｍに設定されている。そして、前記拡大孔６７，７０の孔径は４０ｍｍに設定される。
【００８６】
又、前記上板部材２３は図３５に示すように、前記天板部材２２上に載置されるもので、上面７１が水平である正方形板状を呈しており、その外周縁部分７２は前記天板部材２２の外周縁７３（図２４）から外方に稍突出状態となる。そして該載置された状態で、前記下の通気孔６５と連通し得る上の通気孔（直径は６ｃｍ）７５が設けられている。本実施例においては、該上の通気孔７５の上端７６には、図３６に示すように、多数の通気用の孔７７が設けられた例えば円板状を呈する通気蓋７８が被せられ、バネ性固定片７９の付勢作用によって該上の通気孔７５の上端部分に固定される。該通気蓋７８は、前記中台３に設けられる後述の通気空間１４６を、墓参り用の掃除道具入れとして利用する際において、該上の通気孔７５に物が落ちるのを防止する。
【００８７】
又、該上の通気孔７５の周縁部分の四隅には、前記内側の天板の連結孔６９，６９，６９，６９の夫々に上下連通し得る上板の連結孔８０，８０，８０，８０が設けられている。なお本実施例においては、各上板の連結孔８０と前記上の通気孔７５とを連結するように、排水用案内溝８１が設けられている。又、前記外周縁部分７２の下面８２の幅方向の中央部分には、図３５（Ｂ）（Ｃ）に示すように、周方向に連続する状態で水切り溝８３が設けられている。該水切り溝８３は、構築された墓石９の表面を伝って流下して該上板部材２３の下面８２に回った水が、支柱部材１２や側板部材１５，１９，２０，２１側に移動しないように水切りするものである。
【００８８】
かかる構成を有する上板部材２３の各部の寸法を例示すれば、その正方形の一辺の長さは１１０ｃｍに設定されると共に、その厚さは７ｃｍに設定されている。又前記天板の連結孔６９の直径は、前記支柱連結孔４２の直径に等しい２０ｍｍに設定されている。又、前記排水用案内溝８１の溝幅は１０ｍｍに、その溝深さは、外端で１０ｍｍで内端で２０ｍｍに設定されている。又前記水切り溝８３は、上板部材２３の縁８５から内側に５ｃｍ退いて設けられており、その溝幅は１０ｍｍに、その溝深さ２０ｍｍに設定されている。
【００８９】
又、前記上板部材２３の水平な上面７１の、墓石の正面側部分をなす前側の設置面８６には、図２３に示すように、その中央部分に水鉢８７が載置されると共に、その両側に花立て８９，８９が載置される。そして、その後に位置する中央の設置面９０には、前記中台３が設置される。
【００９０】
前記前の側板部材１５は、図３７に示すように、下端が開放した矩形状の納骨用開口９１が中央部分に設けられた横長の矩形板状の門形を呈しており、その左右の側面９２，９２の幅方向中心線に沿って、左右隣り合う支柱部材１２，１２に設けられている左右対向する前記縦嵌入溝３３，３３に嵌入し得る側面突状部９３，９３が突設されている。そして図３８（Ａ）（Ｂ）に示すように、該側面突状部９３が該縦嵌入溝３３に嵌め入れられた状態で、該側面９２の両側部分としてのカバー側面９５，９５が、前記内側支柱側面２７の、該縦嵌入溝３３の両側縁部分９６，９６に当接し得る。この状態で、該カバー側面９５，９５が該縦嵌入溝３３の溝縁９７，９７を覆い隠す。そしてこの状態で、該側面突状部９３の先端面９９と該縦嵌入溝３３の溝底面１００との間に縦の排水路１０１が形成される。
【００９１】
又、前記左右の側板部材１９，２０と前記後の側板部材２１は、共に同一の構成を有しており、図３９（Ａ）（Ｂ）に示すように、横長の矩形板状を呈する。そして、その側面９２，９２の幅方向中央線に沿って、前後隣り合う、又は左右隣り合う立設状態の支柱部材１２，１２に設けられている対向する縦嵌入溝３３，３３に嵌入し得る側面突状部９３，９３が突設されている。図３８（Ａ）（Ｃ）（Ｄ）に示すように、該側面突状部９３が該縦嵌入溝３３に嵌め入れられた状態で、該側面９２の両側部分としてのカバー側面９５，９５が、前記内側支柱側面２７の、該縦嵌入溝３３の両側縁部分９６，９６に当接し得る。この状態で、該カバー側面９５，９５が該縦嵌入溝３３の溝縁９７，９７を覆い隠す。そしてこの状態で、該側面突状部９３の先端面９９と該縦嵌入溝３３の溝底面１００との間に縦の排水路１０１が形成される。
【００９２】
又その下面１０２には、前記排水溝５２に嵌入し得る下面突状部１０３が設けられており、該下面突状部１０３が該排水溝５２に嵌め入れられた状態において、図３９（Ｃ）に示すように、該下面１０２の両側部分をなすカバー下面１０５，１０５が、該排水溝５２の上端の両側部分１０６，１０６に当接し得る。この状態で、カバー下面１０５，１０５が該排水溝５２の上端の溝縁１０７，１０７を覆い隠す。そしてこの状態で、該下面突状部１０３の下面１０９と前記排水溝５２の溝底面５５との間に排水路１０８が形成される。なお該下面突状部１０３は、前記排水溝５２に嵌め入れられる部分にだけ設けられており、従って下面突状部１０３の外端面１１０は、図３９（Ｂ）に示すように、前記側面９２の縁９２ａから内方に稍退いている。
【００９３】
又前記扉板部材１７は、図２３〜２６に示すように、前記納骨用開口９１に嵌まり合う嵌め入れ突部１１１を具えて該納骨用開口９１を外側から覆うように、墓石の正面側に存する左右の支柱部材１２，１２間で前記基板上面４３に載置される。
【００９４】
かかる構成を有する基板部材１０と支柱部材１２，１２，１２，１２と、前後の側板部材１５，２１と左右の側板部材１９，２０と、天板部材２２と、上板部材２３とを用いて前記丘カロート構造物Ａを組み立てるに際しては、図４０に示すように、４本の支柱部材１２，１２，１２，１２の前記嵌入突部３６，３６，３６，３６を、夫々対応する前記窪み部４５，４５，４５，４５に嵌め入れる。この状態で、図２９に示すように、前記カバー縁面４１が該窪み部４５の上端周縁部分４６に当接状態となり、これにより、該支柱部材１２が前記基板部材１０の基板上面４３に安定的に立設された状態となる。そして、該窪み部４５の上端縁４７が該カバー縁面４１で覆い隠される。又、該カバー縁面４１が該上端周縁部分４６に当接した状態で、前記嵌入突部３６の突部下面３７と該窪み部４５の窪み部底面５０との間に排水間隙５１が形成される。なおこの状態で、前記支柱の連結孔４２と前記基板の連結孔５９とは略連通状態となり得るが、その後、両者を正確に位置決めする。
【００９５】
その後、図４１に示すように、前記前後の側板部材１５，２１と左右の側板部材１９，２０の、前記側面突状部９３，９３の下端部分を、対向する縦嵌入溝３３，３３の上端部分に挿入して後、該側板部材を隣り合う支柱部材１２，１２間に落とし込むと、図３９（Ｃ）に示すように、前記下面突状部１０３が前記排水溝５２内に嵌め入れられた状態となり、前記カバー下面１０５，１０５が前記排水溝５２の上端の両側縁部分１０６，１０６に当接状態となる。これにより、該側板部材１５，２１，１９，２０は、前記基板部材１０の基板上面４３に安定的に立設された状態となる。そしてこの状態で、図３９（Ｃ）に示すように、前記カバー下面１０５，１０５が該排水溝５２の上端の溝縁１０７，１０７を覆い隠し、該下面突状部１０３の下面１０９と前記排水溝５２の溝底面５５との間に排水路１０８が形成される。
【００９６】
又、前記側面突状部９３が前記縦嵌入溝３３に嵌め入れられた状態で、図３８に示すように、前記側面９２の両側部分としてのカバー側面９５，９５が、前記内側支柱側面２７の、該縦嵌入溝３３の両側縁部分９６，９６に当接し、該支柱部材１２に対する側板部材１５，２１，１９，２０の安定取り付け状態が得られる。この状態で、カバー側面９５，９５が縦嵌入溝３３の溝縁９７，９７を覆い隠す（図３８）。そしてこの状態で、該側面突状部９３の先端面９９と該縦嵌入溝３３の溝底面１００との間に前記縦の排水路１０１が形成される。そして図３２に示すように、該排水間隙５１は前記排水路１０８に連通状態となり、前記溝底面５５と前記窪み部底面５０は一連状態となる。これにより、該縦の排水路１０１と該排水間隙５１と該排水路１０８とが一連に連なった連通排水路１１７が形成されることとなる。
【００９７】
その後、図４２に示すように、前記天板部材２２を、その四隅に設けられている前記天板の連結孔６６，６６，６６，６６の夫々を対応の前記支柱の連結孔４２に正確に上下連通状態として該天板部材２２を、支柱部材１２，１２，１２，１２の支柱上面２５，２５，２５，２５（図４０）と前後左右の側板部材１５，２１，１９，２０の上面１１９，１１９，１１９，１１９（図４０）に載置する。その後、全体を下の連結軸１２０で連結一体化する。該下の連結軸１２０は、上下に長い例えばステンレス製のものであり、図４２（Ａ）に示すように上下端に雄ネジ部１２１、１２２が設けられている。該下の連結軸１２０の直径は１６ｍｍに設定されており、前記基板の連結孔５９と前記支柱の連結孔４２と前記外側の天板の連結孔６９とが上下連通状態に連なった下の連通連結孔１２４の４つに夫々挿通せしめられる。然る後、前記基板の連結孔５９の前記拡大孔５８内において、各下の連結軸１２０の下の雄ネジ部１２２に座金１２３を介して下のナット１２５を螺合して後、前記天板の連結孔６６の前記拡大孔６７において、上の雌ネジ部１２１に座金を介して上のナット１２７を螺合し締め付ける。その後、前記内側の天板の連結孔６９と前記上板の連結孔８０とを位置合わせして、前記天板部材２２上に前記上板部材２３を積重する。これによって、前記上の雌ネジ部１２１と上のナット１２７が該上板部材２３で覆い隠された状態となり、図４３に示すような、前記納骨用空間部６２を内部に有する前記丘カロート構造物Ａが構築されることとなる。
【００９８】
そしてこのように連結された状態で、前記のように、下の連結軸１２０の直径が１６ｍｍに設定されると共に前記下の連通連結孔１２４の孔径が２０ｍｍに設定されているため、図４２（Ｂ）（Ｃ）に示すように、該下の連結軸１２０の周囲部分に、下の縦方向排水路１２９が形成される。該下の連結軸１２０の下の雄ネジ部１２２には前記のように、座金１２３を介して下のナット１２５が螺合され該下のナット１２５が締め付けられた状態となっているが、該下の縦方向排水路１２９を流下した水は該下のナット１２５の締め付け部分に生ずる基板の排出部（隙間）１３０を通して徐々に排出されるようになされている。
【００９９】
なお図４４（Ａ）（Ｂ）に示すように、前記拡大孔５８の頂面（上面）１３１に、前記下の連通連結孔１２４の孔下端１３２に連通する頂面排出溝１３３を設け、該頂面排出溝１３３が前記座金１２３の外方に延長状態とすることにより、該下の縦方向排水路１２９を流下した水を該頂面排出溝１３３の先端部分１３５から円滑に排出させ得ることとなる。図４５（Ａ）は、前記頂面排出溝１３３を設ける代わりに、図４５（Ｂ）に示す、排出溝１１４が設けられた排出用座金１１８を、その排出溝１１４を上向きにして前記頂面１３１に当接させて後、前記座金１２３を介して前記下のナット１２５を下の雄ネジ部１２２に螺合し締め付けた状態を示すものである。この場合は、前記下の縦方向排水路１２９を流下した水を該排出溝１１４の先端１１４ａから円滑に排出させ得ることとなる。
【０１００】
なお本実施例においては、図４２に示すように、Ｌ字状に屈曲したアンカーボルト１３７を介して前記基板部材１０を現場打ちコンクリート１３９の打設（前記納骨開口部６３を塞がないように打設する）によって地面に固定することとしているため、前記下のナット１２５を長ナット１２５ａとしている。図４２においては、該長ナット１２５ａの下半分１４０が前記基板部材１０の下面１４１で下方に突出状態とし、該下半分１４０に前記アンカーボルト１３７の垂直軸部１４２の上端ネジ部１４３を螺合し締め付けて、該アンカーボルト１３７を該基板部材１０の下面１４１で突出状態としている。
【０１０１】
前記中台３は、図４〜５に示す構成と同様に、前記芝台上面１４の中央の設置面１４ａに設置されるもので、平面視で正方形状を呈する角柱状に構成されており、その内部に通気空間１４６を有している。該通気空間１４６は、該中台３の前面の中央部で例えば矩形状に開口されることによって形成された前面開口部１４９で前方に開放されると共に、該中台３の下面１５０の中央部前側部分で矩形状に開口されることによって形成された下面開口部１５１で開放されている。該中台３の正方形の一辺は例えば６０ｃｍに設定されると共にその高さは例えば３２ｃｍに設定されている。そして該前面開口部１４９と該下面開口部１５１の境界部分には、該境界部分の左右端を連結するように、例えば一辺が３０ｍｍの正方形断面を呈して左右方向に延長する棒状遮水壁１５２が設けられており、該棒状遮水壁１５２の前面１５３と下面１５４は、夫々、中台３の前面１４７、下面１５０と面一である。
【０１０２】
又該中台３の上面１５５の四隅には、前記通気空間１４６の外側に位置させて、前記上板の連結孔８０，８０，８０，８０に夫々連通するように中台の連結孔１５６，１５６，１５６，１５６が垂直状態に貫設されている。該中台の連結孔１５６の孔径は２０ｍｍに設定されると共に、その上端部分は孔径が４０ｍｍに拡大されて、ナット１５７を納めるための拡大孔１５８とされている。その他の構成は、実施例１で説明したところと同様である。
【０１０３】
又、前記上台６、竿石７の構成、水鉢８７、線香立て兼用通気具１９３の構成は、実施例１で説明したところと同様である。
【０１０４】
前記構成を有する中台３を前記丘カロート構造物Ａに連結するに際しては、図４６に示すように、前記上板部材２３の上面７１の中央の設置面９０に該中台３の下面１５０を当接させて載置されるもので、これにより、前記丘カロート構造物Ａ上に該中台３が設置された状態となる。
【０１０５】
これを具体的に説明すれば、該中台３を、図４６に示すように、前記中台の連結排水孔１６１，１６１，１６１，１６１の夫々を前記上板の連結孔８０，８０，８０，８０の対応のものに位置合わせし、前記上板部材２３の後側の設置面１４５に該中台３の下面１５０を当接させて載置する。この状態で図４６に示すように、例えばステンレス製のもので上下端に雄ネジ部１７３，１７５が設けられてなる上の連結軸１７６，１７６，１７６，１７６の夫々を、前記中台の連結孔１６１と前記上板の連結孔１５６と前記天板の連結孔６６が連通した上の連通連結孔１７７に挿通し、前記拡大孔７０内で、該上の連結軸１７６の下の雄ネジ部１７５に座金１７９を介して下のナット１８０を螺合すると共に、前記拡大孔１５８内で、上の雄ネジ部１７３に座金１８０を介してナット１５７を螺合し締め付ける。この状態で、上の連結軸１７６の上の雄ネジ部１７３と上のナット１５７が前記拡大孔１５８に納まり上方に突出しない。これにより、中台３が丘カロート構造物Ａに固定状態に設置されることとなる。
【０１０６】
そしてこのように連結された状態で、前記のように、上の連結軸１７６の直径が１６ｍｍに設定されると共に前記上の連通連結孔１７７の孔径が２０ｍｍに設定されているため、該上の連結軸１７６の周囲部分に、上の縦方向排水路１８１が形成される。そして、前記拡大孔７０に納まる、該上の連結軸１７６の下の雄ネジ部１７５には、前記のように、座金１７９を介して下のナット１８０が螺合され該下のナット１８０が締め付けられた状態となっているが、該上の縦方向排水路１８１を流下した水は該下のナット１８０の締め付け部分に生ずる天板の排出部（隙間）１８４を通して徐々に排水されるようになされている。
【０１０７】
なお図４７に示すように、前記拡大孔７０の頂面（上面）１８２に、前記上の連通連結孔１７７の孔下端１８３に連通する頂面排出溝１８５を設け、該頂面排出溝１８５が前記下のナット１８１の外方に延長状態とすることにより、前記上の縦方向排水路１８１を流下した水を、前記納骨用空間部６２内で、該頂面排出溝１８５の先端部分としての排出部１８４から円滑に排出させ得ることとなる。又図４８に示すように、図４５で示した、排出溝１１４が設けられた排出用座金１１８を用いて、上の縦方向排水路１８１を流下した水を該排出溝１１４の先端１１４ａとしての排出部１８４から円滑に排出させることもできる。
【０１０８】
そして、該中台３がこのように設置された状態で、図１〜２に示すように、前記前側の載置面８６の中央に前記水鉢８７が載置されると共にその両側に花立て８９，８９が載置される。該水鉢８７を取り除くことによって前記前面開口部１４９を開口させることができ、これにより該前面開口部１４９を通して前記納骨用空間部６２に納骨できる。
【０１０９】
次に、かかる構成を有する竿石７と上台６と前記中台３の全体を前記連結棒１４４で連結一体化する施工要領を説明する。
【０１１０】
先ず、図４９〜５０に示すように、前記上台の連結排水孔２１１を前記中台の連結排水孔１６１に位置合わせし、且つ該上台６を、その前面を墓石正面にして、前記中台３の水平な設置面（中台の上面）１５９に、該上台の下面２０９を当接させて載置する。これにより、前記上台６の下面２０９に設けられている前記凍結逃がし溝２１６，２１６，２１６，２１６が前記中台３の上面１５５に設けられている前記集排水溝１６９，１６９，１６９，１６９の夫々に対応して、上下向き合う状態となる。この状態で図４９〜５０に示すように、例えばステンレス製のもので上下端に雄ネジ部２３１，２３２が設けられてなる前記連結棒１４４を、前記上台の連結排水孔２１１と前記中台の連結排水孔１６１が連通した連通孔２３３に挿通し、前記竿石７が吊下状態で、該連結棒１４４を持ち上げてその上端の雄ネジ部２３１を前記雌ネジ部２２５に螺合せしめる。
【０１１１】
その後、図４９〜５０に示すように、該竿石７の前面を墓石正面にして、前記上台６の水平な設置面（上台の上面）２０７に該竿石７の下面２２３を当接させて、該竿石７を該上台６上に載置する。これにより、前記竿石７の下面２２３に設けられている前記凍結逃がし溝２１６，２１６，２１６，２１６が、前記上台６の上面２０６に設けられている前記集排水溝１６９，１６９，１６９，１６９の夫々に対応して、上下向き合う状態となる。その後、図４９〜５０に示し、又図１８〜１９に示すと同様にして、前記中台の連結排水孔１６１の孔下端１６５で下方に突出した下端の雄ネジ部２３２に座金２３６を介して下のナット２３７を螺合し締め付ける。これにより、積重状態にある竿石７と上台６と中台３の全体が１本の連結棒１４４で連結一体化されることとなる。そしてこの状態で、該連結棒１４４の周囲部分に、下方向に水を排水する縦排水路２３９が形成される。
【０１１２】
そして、前記排出溝１６７ａが、前記中台の下面１５０に対しての当接固定部分（座金２３６やナット２３７）２３８の外方に延長しており、該排出溝１６７ａの先側部分としての排水部１６７が、前記縦排水路２３９に連通している。これにより、該縦排水路２３９を流下した水を該排水部１６７から円滑に排出させ得ることとなる。
【０１１３】
なお、上下の石材５，５間の間隙２４０に雨水が侵入するのを抑制するために上下の石材間の縁部分２４１には通常、図２０に示すと同様に、コーキング材が充填されてコーキング止水部２４２が形成される。これによって墓石９としての耐震性石積構造物１が構築されることになる。
【０１１４】
然して、かかる構成を有する耐震性の墓石９によるときは、図４２に示すように、基板部材１０と支柱部材１２と天板部材２２とが前記下の連結軸１２０によって強固に連結一体化されると共に、図４６に示すように、前記中台３と前記上板部材２３と前記天板部材２２とが前記上の連結軸１７６によって強固に連結一体化され、且つ、図４９に示すように、前記中台３と前記上台６と前記竿石７とが前記連結棒１４４によって強固に連結一体化されている。かかることから、該墓石９は、全体として耐震性に優れており、地震時の振動によっても転倒するのが確実に防止される。そして該下の連結軸１２０、該上の連結軸１７６、該連結棒１４４が、共に、墓石の内部に隠れた状態となって目視されないため、これらが墓石の外観を損なうこともない。
【０１１５】
そして前記通気空間１４６の頂部分１６０の下面１５０に、図１９に示すように、前記中台の連結排水孔１６１の孔下端１６５に連通する状態で排出溝１６７ａが設けられており、該排出溝１６７ａは前記ナット２３７の外方に延長し、その先側部分としての排水部１６７で、前記縦排水路２３９を流下した水を排出させるようになされている。又前記のように、前記下の連結軸１２０の周囲部分に下の縦方向排水路１２９が形成されると共に、前記上の連結軸１７６の周囲部分に上の縦方向排水路１８１（図４６）が形成されている。
【０１１６】
かかる構成を有する墓石９における、上下の石材５，５間の間隙２４０に介在した水の、前記縦排水路２３９を通しての排出の作用や、前記集排水溝１６９によって、前記間隙２４０に介在した水を集めて該縦排水路２３９に流入させる作用、上下向き合う状態の該集排水溝１６９と前記凍結逃がし溝２１６とによる水の一時貯留作用、寒冷地域において、該集排水溝内の残存水が凍結して体積膨張した際における膨張部分の該凍結逃がし溝２１６への逃がし作用は、実施例１で説明したところと同様である。そしてこれらによって、連結棒１４４による耐震性石積構造物１の耐震性を長期間に亘って安定的に維持させ得る効果が得られる点も、実施例１で説明したところと同様である。
【０１１７】
本実施例に係る耐震性石積構造物１は丘カロート構造物Ａを用いて構成されているため、次に、本実施例独自の作用効果を説明する。
即ち本実施例においては、図２に示すように、前記丘カロート構造物Ａの納骨用空間部２が、前記下の通気孔６５と、前記上の通気孔７５と、前記通気空間１４６，１８７，１８８からなる通気路２０３の外端部をなす前記通気開口２００を介して外気に連通状態とされているため、例えば図２に矢印で示すように、該納骨用空間部２の換気が良好に行われる。かかることから、前記連結棒１４４の下端の雄ネジ部２３２やナット２３７（図４９〜５０）等が腐食しにくく、これにより、前記墓石の耐震性能の劣化を抑制でき、墓石の耐震性能をより長期間に亘って維持させ得ることとなる。
【０１１８】
又本実施例においては、図１０に示すと同様に、通気空間１４６の前面開口部１４９と下面開口部１５１との境界部分に棒状遮水壁１５２が左右方向に延長する状態で設けられており、該棒状遮水壁１５２の下面１５４が前記上板部材２３の上面２４６（図１０）に当接状態となるため、該前面開口部１４９の下縁２４７（図１０）は該上面２４６から浮き上がっている。本実施例においては３０ｍｍ浮き上がっている。かかることから、該上板部材２３の上面２４６に降った雨水が該棒状遮水壁１５２によって効果的に遮水され、該前面開口部１４９を通して前記通気空間６２に侵入しにくい。これにより、雨水が通気空間１４６や納骨用空間部６２に流入するのを極力防止できることになり、該納骨用空間部６２の換気効率の向上に寄与できる。
【０１１９】
そして前記丘カロート構造物Ａにおいては、図５１〜５３に矢印で示すように、下の連結軸１２０の周囲部分に形成された下の縦方向排水路１２９に流入した雨水や、前記支柱部材１２に設けられている前記縦嵌入溝３３への前記側板部材１５，１９，２０，２１の嵌め入れ部分２４９（図４０）を通して前記縦の排水路１０１（図４２）に吹き込み、該縦の排水路１０１を流下し前記排水間隙５１に達した雨水、更には、前記基板部材１０と前記支柱部材１２との接合部分の隙間を通して前記排水間隙５１内に侵入した雨水は、前記基板の連結孔５９で形成されている下の縦方向排水路１２９を通して流下し、地面に排出される。その際、本実施例においては、窪み部底面５０に４本の水誘導溝６１が放射状に設けられているため、前記排水間隙５１内の水が基板部材に設けられている該縦方向排水路１２９に向けてより円滑に誘導される。もしも、該下の縦方向排水路１２９に苔が生える等して水が排出しにくくなって前記排水間隙５１に溜まったり、或いは、前記排水間隙５１に流入する水の量が多くてこれが該排水間隙５１に溜まった場合は、この水は前記排水路１０８に流れ、前記排水孔５６を通して排出される。これにより、前記下の連結軸１２０が長時間に亘って水に接触することに伴う丘カロート構造物Ａの耐震性の劣化を抑制でき、墓石の耐震性をより長期間に亘って維持させ得ることとなる。又、該排水間隙５１内の汚れた水が漏れ出て墓石を汚すのを防止できる。
【０１２０】
本実施例においては前記のように、該基板の連結孔５９が、図３１に示すように、前記排水溝５２を前記窪み部４５内で延長させたと仮定した場合の該排水溝５２の溝幅の範囲に全体が納まり或いはその一部が納まるように設定されているため、前記下の縦方向排水路１２９を流下した水が前記基板の連結孔５９の上端２５０（図５２）で溢れた状態となった場合、この水が速やかに前記排水路１０８に流れることになり、排水間隙５１における排水をより効率的に行い得ることとなる。
【０１２１】
そして、前後隣り合う窪み部４５，４５、４５，４５を夫々連結するように左右の排水溝５２，５２が設けられると共に、後に位置する左右隣り合う窪み部４５ｂ，４５ｄを連結するように後の排水溝５２が設けられているため、何れの排水間隙５１内の水も、何れかの排水路１０８に流れることができ、前記排水孔５６を通して排出されることとになる。なお本実施例においては、該排水路１０８には水勾配が設けられているため、該排水路１０８に流入した水を前記排水孔５６を通して速やかに排出させ得ることとなる。
【０１２２】
そして図４９〜５０、図１８〜１９に示すように、前記縦排水路２３９が前記排水部１６７を介して前記通気空間１４６に連通しているため、上下の石材間の間隙２４０（図２４、図４９）が該通気空間１４６に連通状態となっている。かかることから、該間隙２４０に介在した水の蒸発促進も期待できる。
【実施例３】
【０１２３】
本発明は、前記実施例で示したものに限定されるものでは決してなく、「特許請求の範囲」の記載内で種々の設計変更が可能であることはいうまでもない。その一例を挙げれば次のようである。
【０１２４】
(1) 図５４は、前記芝台４の上面又は前記上板部材２３の上面に設置される中台３の他の態様を示すものである。以下、芝台４の上面１４に設置される場合について説明すれば、該中台３は、平面視で正方形状をなす角柱状に構成されており、前面開口部１４９と下面開口部１５１で開放された通気空間１４６を有する点、及び、該前面開口部１４９と該下面開口部１５１の境界部分に棒状遮水壁１５２が設けられている点においては前記と同様である。
【０１２５】
相違するのは、図５５〜５６に示すように、該通気空間１４６の左右側と後側に、中台の外方に向けて拡張し且つ底面３００が水平面に形成された固定用凹部３０１，３０１，３０１が凹設されており、各固定用凹部３０１の底面３００に、前記芝台４に設けられている左右の連結孔１８，１８、後の連結孔１８の対応のものに上下連通する状態で連結孔１５６，１５６，１５６が上下方向に貫設されている点である。
【０１２６】
かかる構成を有する中台３を芝台４に固定するに際しては、図５４に示すように、該中台３に設けられている連結孔１５６を、芝台４に設けられている連結孔１８の対応のものに上下連通する状態で位置合わせして該中台３を該芝台４に載置した後、これらの連通した連結孔に連結軸４４を挿通せしめ、前記芝台４の下面に設けられている前記凹部２８で突出状態となった雄ネジ部３８にナット（本実施例においては長ナット）２４を螺合すると共に、前記固定用凹部３０１の底面３００で突出状態となった上端の雄ネジ部３４にナット６４を螺合し締め付けることにより、該中台３と芝台４とを連結一体化し得る。その後、前記と同様にして、該芝台４上に上台６、寸輪８、竿石７等の石材を積重し、前記と同様の構成によって連結棒１４４でこれらを連結一体化する。
【０１２７】
このように構成した場合は、例えば竿石７に文字を刻んだり、墓石のクリーニングを行う際等、石材を分解する必要のある場合は、前記前面開口部１４９を通して前記通気空間１４６内に手を挿入し、前記３本の連結軸４４，４４，４４の上端の雄ネジ部３４，３４，３４に螺合されているナット６４，６４，６４を取り外すことにより、該中台３を芝台４と分離できる。又、連結棒１４４によって連結一体化されている各石材を分離することにより、これらの文字入れや墓石のクリーニングを行い得ることとなる。
【０１２８】
(2) 前記集排水溝１６９は、上下の石材間に介在する水を良好に集めることができ、これを前記縦排水路２３９に流入させることができる限り、前記連結排水孔の孔上端の対向側で、該孔上端に連通する如く設けられればよい。例えば上台６を例にとって説明すれば、図５７に示すように、該孔上端２１２の対向側で1 本ずつの集排水溝１６９，１６９が設けられるものや、例えば図５８に示すように、３本や５本、６本、或いはそれ以上の集排水溝１６９が該孔上端２１２に連通する状態で放射状に設けられてもよい。
又該集排水溝１６９の該孔上端２１２からの延長長さはより長く形成されるのが、該間隙２４０に介在している水を集排水する上で好ましいが、上下の石材間の間隙２４０に介在する水を該集排水溝１６９に良好に流入させ得る限り、５ｃｍ程度の比較的短い長さのものであってもよい。
【０１２９】
(3) 前記集排水溝１６９と前記凍結逃がし溝２１６は、上下向き合う状態で設けられるものであるが、上下向き合う状態とは、各石材の製作誤差等によって、該集排水溝１６９と凍結防止溝２１６が若干位置ずれする場合を含むものである。
【０１３０】
(4) 本発明に係る耐震性石積構造物１は、前記墓石に応用されることの他、複数個の石材を積重して構成される灯籠や石碑等の石積構造物に応用されることもある。又、２個の石材を積重してなる石積構造物に応用することもできる。
【０１３１】
(5) 図５９は、線香立て兼用通気具１９３が設けられる水鉢８７を、前記芝台４上に、前記中台３の上面の前側部分に、前記上台６の前面に重ね合わせて設置した場合を示すものである。この場合は、中台３の頂部３０４の前側部分に、上下貫通する通気用孔部３０５を設けると共に、水鉢８７に上下貫通する例えば円形孔状の通気空間３０６を設けてなる。そして該通気空間３０６の上端部分に、前記と同様の構成を有する線香立て兼用通気具１９３の固定筒部１９６を着脱可能の固定状態としてなる。
このように構成した場合は、前記納骨用空間部６２が、前記中台３の通気空間１４６と、前記水鉢８７の通気空間１８７と、前記線香立て兼用通気具１９３の内部に設けられている通気空間１８８からなる通気路３０７に連通され、該線香立て兼用通気具１９３の前記通気開口を介して外気に連通状態とされ、これにより、該納骨用空間部６２の換気が可能となされている。
【０１３２】
(6) 図６０は、集排水溝１６９を凍結逃がし溝２１６よりも浅く形成した場合を示す。
【０１３３】
(7) 図６１は、前に位置する窪み部４５ａ，４５ｃ相互も排水溝５２で連結した状態を示すものであり、該排水溝５２の溝底面の長さ方向の中間部分（例えば中央部位）に排水孔５６が上下方向に貫通する如く設けられている。
このように構成する場合は、図６２に示すように、前記前の側板部材１５の下面１０２の幅方向中心線に沿って、該排水溝５２に嵌入される下面突状部１０３を突設し、該下面突状部１０３が該排水溝５２に嵌め入れられた状態において、下面１０２の両側部分をなすカバー下面１０５，１０５が、該排水溝の上端の両側縁部分１０６，１０６に載置されるようになすのがよい。これにより、排水溝５２の上端の溝縁１０７，１０７が該カバー下面１０５，１０５で覆い隠された状態となる。そしてこの状態で、該下面突状部１０３の下面１０９と前記排水溝５２の溝底面５５との間に排水路１０８が形成されることになる。
【０１３４】
(8) 本発明における各窪み部４５は、該窪み部と左右隣り合う他の窪み部又は該窪み部と前後隣り合う他の窪み部に、排水溝５２を介して連結されるものであるが、この構成は、全ての窪み部４５が、少なくとも一つの排水溝５２に連続するものであればよいことを意味する。
図６３は、前後隣り合う窪み部４５ａ，４５ｂ、４５ｃ，４５ｄ相互が排水溝５２で連結されており、左右隣り合う窪み部相互は排水溝で連結されていない状態を示すものである。又図６４は、左右隣り合う窪み部４５ａ，４５ｃ、４５ｂ，４５ｄ相互が排水溝５２で連結されており、前後隣り合う窪み部相互は排水溝で連結されていない状態を示すものである。
【０１３５】
(9) 前記支柱部材１２の形態は、墓石を構成するに際して石材を支持する天板部材２２を安定的に支持できるものでありさえすれば、その形態は問わない。例えば、その横断面形状が前記した正方形状の他、円形状や六角形状等各種の柱状形態に構成され得る。又、該支柱部材１２は、上下全長に亘って略同一断面で同一寸法の形状に構成されることもある。図６５は上下全長に亘って、同一の正方形状断面に形成された場合を示すものであり、その軸線に沿って連結孔４２が設けられている。そしてこれに合わせて前記窪み部４５に、連結孔５９が設けられている。
【０１３６】
(10)前記排水間隙５１に流入した水を、前記基板部材１０に形成される縦方向排水路１２９に向けて円滑に流入させ得る限り、前記水誘導溝６１は省略されることもある。
【図面の簡単な説明】
【０１３７】
【図１】本発明に係る耐震性石積構造物を示す斜視図である。
【図２】その断面図である。
【図３】芝台を示す斜視図である。
【図４】中台を示す斜視図と、その上面中央部分を示す拡大斜視図である。
【図５】中台の部分断面図と、中台の通気空間の頂部分の構成を説明する一部欠切斜視図である。
【図６】芝台と中台とを連結軸を用いて連結一体化した状態を示す断面図である。
【図７】連結軸の下の雄ネジ部にナットを螺合し締め付けた他の態様を示す断面図である。
【図８】連結軸の下の雄ネジ部に、排出用座金を介してナットを螺合し締め付けた状態を示す断面図である。
【図９】水鉢を線香立て兼用通気具と共に示す斜視図である。
【図１０】線香立て兼用通気具を水鉢の取り付け孔に取り付けた状態を、納骨用空間部の通気状態と共に示す断面図である。
【図１１】上台を示す斜視図である。
【図１２】上台を示す断面図と、上下向き合う状態にある集排水溝と凍結逃がし溝を示す断面図である。
【図１３】寸輪を示す斜視図である。
【図１４】寸輪を示す断面図と、上下向き合う状態にある集排水溝と凍結逃がし溝    を示す断面図である。
【図１５】竿石を示す斜視図とその下端部分の断面図と、上下向き合う状態にある集排水溝と凍結逃がし溝を示す断面図である。
【図１６】中台と上台と寸輪と竿石とを連結棒を用いて連結一体化した状態を示す断面図である。
【図１７】その連結部分を、水の移動状態と共に示す断面図である。
【図１８】上の連結軸の下の雄ネジ部にナットを螺合し締め付けた状態を示す斜視図である。
【図１９】その断面図である。
【図２０】上下の石材間の縁部分にコーキング材を充填した状態を示す断面図である。
【図２１】上下向き合う状態の集排水溝と凍結逃がし溝とが、水の貯留部として機能している状態を示す断面図である。
【図２２】集排水溝に残存している水が凍結し、その一部が凍結逃がし溝に逃がされ    た状態を示す断面図である。
【図２３】本発明に係る耐震性丘カロート構造物を用いて構築された墓石を示す斜視図である。
【図２４】その断面図である。
【図２５】その分解斜視図である。
【図２６】耐震性丘カロート構造物を示す横断面図である。
【図２７】支柱部材を示す斜視図である。
【図２８】支柱部材の底面図である。
【図２９】支柱部材の嵌入突部を基板部材の窪み部に嵌め入れた状態を示す断面図である。
【図３０】基板部材を示す斜視図である。
【図３１】基板部材を示す平面図である。
【図３２】排水間隙と排水路の連通状態を示す断面図である。
【図３３】嵌入突部を窪み部に嵌め入れて支柱部材を基板部材に立設した状態を示す部分断面図である。
【図３４】天板部材を示す斜視図である。
【図３５】上板部材を示す斜視図と断面図である。
【図３６】上板部材の上の通気孔を通気蓋で塞いだ状態を示す断面図である。
【図３７】前の側板部材を示す斜視図である。
【図３８】前後左右の側板部材を前後左右の支柱部材に取り付けた状態を説明する断面図である。
【図３９】左右の側板部材と後の側板部材を、下面突状部を排水溝に嵌め入れた状態と共に示す斜視図と断面図である。
【図４０】基板部材の四隅に支柱部材を立設すると共に支柱部材間に側板部材を装着し且つ前の側板部材を扉板部材で塞いだ状態を示す斜視図である。
【図４１】隣り合う支柱部材間に側板部材を取り付ける作業工程を説明する斜視図である。
【図４２】耐震性丘カロート構造物を示す断面図である。
【図４３】耐震性丘カロート構造物を示す斜視図である。
【図４４】天板部材と支柱部材と基板部材とを連結一体化する下の連結軸の下の雄ネジ部に下のナットを螺合して締め付けた状態を示す断面図と、該下のナットを収容する拡大孔の頂面に設けられた頂面排出溝を示す平面図である。
【図４５】前記下の連結軸の下の雄ネジ部に、排出用座金を介してナットを締め付けた状態を示す断面図と、該排出用座金を示す斜視図である。
【図４６】中台を、上の連結軸を用いて丘カロート構造物と連結一体化した状態を    示す断面図である。
【図４７】上の連結軸の下の雄ネジ部にナットを螺合し締め付けた他の態様を示す断面図である。
【図４８】下の連結軸の下の雄ネジ部に、排出用座金を介してナットを螺合し締め付けた状態を示す断面図である。
【図４９】中台と上台と竿石とを連結棒を用いて連結一体化した状態を示す断面図である。
【図５０】その連結部分を、水の移動状態と共に示す断面図である。
【図５１】下の縦方向排水路を流下した雨水、縦の排水路を流下した雨水、排水間隙の雨水、排水間隙に侵入した雨水が排水路に流入する状態を示す説明図である。
【図５２】縦方向排水路を流下した水の排出状態と、縦方向排水路と縦の排水路を流下した水が排水路に流入する状態を示す説明図である。
【図５３】排水間隙の水と縦の排水路を流下した水が排水路に流入して後、排水孔で排出される状態を示す説明図である。
【図５４】中台のその他の態様を使用状態で示す断面図である。
【図５５】その中台を示す斜視図である。
【図５６】その中台を示す一部断面斜視図である。
【図５７】集排水溝の配置状態の他の態様を示す平面図である。
【図５８】集排水溝のその他の配置状態を示す平面図である。
【図５９】水鉢の他の配置状態を、納骨用開口部の換気状態と共に示す断面図である。
【図６０】集排水溝と凍結逃がし溝の他の態様を説明する断面図である。
【図６１】排水溝による窪み部相互の連結状態の他の態様を説明する平面図である。
【図６２】前の側板部材の他の態様を説明する斜視図である。
【図６３】排水溝による窪み部相互のその他の連結状態を示す平面図である。
【図６４】排水溝による窪み部相互のその他の態様を説明する平面図である。
【図６５】支柱部材の他の態様を、窪み部と共に示す斜視図である。
【図６６】従来の耐震墓石の構造を説明する断面図である。
【符号の説明】
【０１３８】
１  耐震性石積構造物
２  納骨用空間部
３  中台
４  芝台
５  石材
６  上台
７  竿石
８  寸輪
９  墓石
１０  基板部材
１２  支柱部材
１５  前の側板部材
１９  左の側板部材
２０  右の側板部材
２１  後の側板部材
２２  天板部材
２３  上板部材
２７  内側支柱側面
３３  縦嵌入溝
３６  嵌入突部
４１  カバー縁面
４２  支柱の連結孔
４５  窪み部
５１  排水間隙
５２  排水溝
５６  排水孔
５９  基板の連結孔
６５  下の通気孔
６６  外側の天板の連結孔
６９  内側の天板の連結孔
７５  上の通気孔
７８  通気蓋
８０  上板の連結孔
８１  排水用案内溝
８３  水切り溝
８７  水鉢
９３  側面突状部
９５  カバー側面
９６  縦嵌入溝の側縁部分
９７  縦嵌入溝の溝縁
１０１  縦の排水路
１０３  下面突状部
１０５  カバー下面
１０６  排水溝の上端の側部分
１０７  排水溝の上端の溝縁
１０８  排水路
１２０  下の連結軸
１２１  雄ネジ部
１２２  雄ネジ部
１２５  下のナット
１２７  上のナット
１２９  下の縦方向排水路
１３０  基板の排出部
１３３  頂面排出溝
１４４  連結棒
１４６  通気空間
１５２  棒状遮水壁
１６９  集排水溝
１７６  上の連結軸
１９３  線香立て兼用通気具
２０３  通気路
２１６  凍結逃がし溝
２３９  縦排水路
２４０  上下の石材間の間隙
【図１】
0004768762.tif 000002
【図２】
0004768762.tif 000003
【図３】
0004768762.tif 000004
【図４】
0004768762.tif 000005
【図５】
0004768762.tif 000006
【図６】
0004768762.tif 000007
【図７】
0004768762.tif 000008
【図８】
0004768762.tif 000009
【図９】
0004768762.tif 000010
【図１０】
0004768762.tif 000011
【図１１】
0004768762.tif 000012
【図１２】
0004768762.tif 000013
【図１３】
0004768762.tif 000014
【図１４】
0004768762.tif 000015
【図１５】
0004768762.tif 000016
【図１６】
0004768762.tif 000017
【図１７】
0004768762.tif 000018
【図１８】
0004768762.tif 000019
【図１９】
0004768762.tif 000020
【図２０】
0004768762.tif 000021
【図２１】
0004768762.tif 000022
【図２２】
0004768762.tif 000023
【図２３】
0004768762.tif 000024
【図２４】
0004768762.tif 000025
【図２５】
0004768762.tif 000026
【図２６】
0004768762.tif 000027
【図２７】
0004768762.tif 000028
【図２８】
0004768762.tif 000029
【図２９】
0004768762.tif 000030
【図３０】
0004768762.tif 000031
【図３１】
0004768762.tif 000032
【図３２】
0004768762.tif 000033
【図３３】
0004768762.tif 000034
【図３４】
0004768762.tif 000035
【図３５】
0004768762.tif 000036
【図３６】
0004768762.tif 000037
【図３７】
0004768762.tif 000038
【図３８】
0004768762.tif 000039
【図３９】
0004768762.tif 000040
【図４０】
0004768762.tif 000041
【図４１】
0004768762.tif 000042
【図４２】
0004768762.tif 000043
【図４３】
0004768762.tif 000044
【図４４】
0004768762.tif 000045
【図４５】
0004768762.tif 000046
【図４６】
0004768762.tif 000047
【図４７】
0004768762.tif 000048
【図４８】
0004768762.tif 000049
【図４９】
0004768762.tif 000050
【図５０】
0004768762.tif 000051
【図５１】
0004768762.tif 000052
【図５２】
0004768762.tif 000053
【図５３】
0004768762.tif 000054
【図５４】
0004768762.tif 000055
【図５５】
0004768762.tif 000056
【図５６】
0004768762.tif 000057
【図５７】
0004768762.tif 000058
【図５８】
0004768762.tif 000059
【図５９】
0004768762.tif 000060
【図６０】
0004768762.tif 000061
【図６１】
0004768762.tif 000062
【図６２】
0004768762.tif 000063
【図６３】
0004768762.tif 000064
【図６４】
0004768762.tif 000065
【図６５】
0004768762.tif 000066
【図６６】
0004768762.tif 000067